(57)【特許請求の範囲】
【請求項１】
方法（６００）であって、
ユーザ機器（ＵＥ）デバイス（１０４）から第１のアップリンクチャネル（２２０Ｐ）を介して、第１のスペクトル帯域（１２）内の第２のアップリンクチャネル（２２０Ｓ）で動作するための許可を求める認可要求メッセージ（１６０）をスペクトルアクセスシステム（ＳＡＳ）（２１０）のデータ処理ハードウェア（２１２）において受信することであって、前記認可要求メッセージが前記ＵＥデバイス（１０４）の現在の位置（１６４）および最大送信電力（１６２）未満であるが、エンドユーザデバイス許容送信電力制限を超える低減された送信電力を含み、前記ＵＥデバイス（１０４）が前記第１のアップリンクチャネル（２２０Ｐ）および前記第２のアップリンクチャネル（２２０Ｓ）のキャリアアグリゲーションをサポートする、前記認可要求メッセージ（１６０）を受信すること、
対応する前記最大送信電力（１６２）による前記第２のアップリンクチャネル（２２０Ｓ）上での前記ＵＥデバイス（１０４）の動作が前記第１のスペクトル帯域（１２）内で許容できない干渉を引き起こすかどうかを前記データ処理ハードウェア（２１２）によって判定すること、
対応する前記最大送信電力（１６２）による前記第２のアップリンクチャネル（２２０Ｓ）上での前記ＵＥデバイス（１０４）の動作が許容できない干渉を引き起こさない場合に、対応する前記最大送信電力（１６２）による前記第２のアップリンクチャネル（２２０Ｓ）上での前記ＵＥデバイス（１０４）の動作許可を前記データ処理ハードウェア（２１２）によって認可すること、
を備える方法。
【請求項２】
前記第１のスペクトル帯域（１２）は、市民ブロードバンド無線サービス（ＣＢＲＳ）スペクトル帯域および／または３５５０ＭＨｚ〜３７００ＭＨｚの範囲内の帯域のうちの１つ以上である、請求項１に記載の方法（６００）。
【請求項３】
前記ＵＥデバイス（１０４）は、前記第２のアップリンクチャネル（２２０Ｓ）を追加するように前記ＵＥデバイス（１０４）に指示する無線リソース制御メッセージをサービング基地局（１０２）から受信したことに応答して、前記認可要求メッセージ（１６０）を前記第１のアップリンクチャネル（２２０Ｐ）を介して送信するように構成されている、請求項１または２に記載の方法（６００）。
【請求項４】
前記ＵＥデバイス（１０４）は、前記第２のアップリンクチャネル（２２０Ｓ）を有効にするように前記ＵＥデバイス（１０４）に指示するアクティブ化メッセージ（１５０ｂ）をサービング基地局（１０２）から媒体アクセス制御（ＭＡＣ）要素を介して受信したことに応答して、前記認可要求メッセージ（１６０）を前記第１のアップリンクチャネル（２２０Ｐ）を介して送信するように構成されている、請求項１〜３のうちのいずれか一項に記載の方法（６００）。
【請求項５】
前記ＵＥデバイス（１０４）から前記第１のアップリンクチャネル（２２０Ｐ）を介して、前記第２のアップリンクチャネル（２２０Ｓ）上での動作許可の認可の撤廃を求める認可放棄メッセージ（１９０）を前記データ処理ハードウェア（２１２）において受信することをさらに備える請求項１〜４のうちのいずれか一項に記載の方法（６００）。
【請求項６】
前記ＵＥデバイス（１０４）は、前記第２のアップリンクチャネル（２２０Ｓ）を削除するように前記ＵＥデバイス（１０４）に指示する無線リソース制御メッセージ（１５０）をサービング基地局（１０２）から受信したことに応答して、前記認可放棄メッセージ（１９０）を前記第１のアップリンクチャネル（２２０Ｐ）を介して送信するように構成されている、請求項５に記載の方法（６００）。
【請求項７】
前記ＵＥデバイス（１０４）は、前記第２のアップリンクチャネル（２２０Ｓ）を無効にするように前記ＵＥデバイス（１０４）に指示する非アクティブ化メッセージ（１５４）をサービング基地局（１０２）から媒体アクセス制御（ＭＡＣ）層を介して受信したことに応答して、前記認可放棄メッセージ（１９０）を前記第１のアップリンクチャネル（２２０Ｐ）を介して送信するように構成されている、請求項５に記載の方法（６００）。
【請求項８】
前記第２のアップリンクチャネル（２２０Ｓ）上での前記ＵＥデバイス（１０４）の動作が前記第１のスペクトル帯域（１２）内で許容できない干渉を引き起こすかどうかを判定することが、
前記第２のアップリンクチャネル（２２０Ｓ）を含む周波数内での動作のために前記ＳＡＳ（２１０）に登録されたインカンベント伝送機器（１０６）を特定するために、前記ＳＡＳ（２１０）に登録されたインカンベント伝送機器（１０６）の対応するカバレッジエリア（１２４）へのマッピングを含むＳＡＳデータソース（３００）に照会すること、
特定されたインカンベント伝送機器（１０６）ごとに、前記現在の位置（１６４）による対応する前記最大送信電力（１６２）での前記第２のアップリンクチャネル（２２０Ｓ）上での前記ＵＥデバイス（１０４）の動作に基づいて、対応する前記カバレッジエリア（１２４）内での干渉レベルを推定すること、
少なくとも１つの前記カバレッジエリア（１２４）内で推定された前記干渉レベルが干渉閾値を満たす場合に、前記最大送信電力（１６２）による前記第２のアップリンクチャネル（２２０Ｓ）上での前記ＵＥデバイス（１０４）の動作が許容できない干渉を引き起こすと判定すること、
を含む、請求項１〜７のうちのいずれか一項に記載の方法（６００）。
【請求項９】
前記第１のアップリンクチャネル（２２０Ｐ）がプライマリコンポーネントキャリア（２２０Ｐ）を含み、前記第２のアップリンクチャネル（２２０Ｓ）がセカンダリコンポーネントキャリア（２２０Ｓ）を含む、請求項１〜８のうちのいずれか一項に記載の方法（６００）。
【請求項１０】
前記ＵＥデバイス（１０４）の前記最大送信電力（１６２）が、エンドユーザデバイス許容送信電力制限よりも大きな実効等方放射電力（ＥＩＲＰ）値を有する、請求項１〜９のうちのいずれか一項に記載の方法（６００）。
【請求項１１】
スペクトルアクセスシステム（ＳＡＳ）（２１０）であって、
データ処理ハードウェア（２１２）と、
前記データ処理ハードウェア（２１２）と通信するメモリハードウェア（２１４）であって、前記データ処理ハードウェア（２１２）で実行されたときに当該データ処理ハードウェア（２１２）に動作を実行させる命令を記憶するメモリハードウェア（２１４）と、を備え、前記動作が、
ユーザ機器（ＵＥ）デバイス（１０４）から第１のアップリンクチャネル（２２０Ｐ）を介して、第１のスペクトル帯域（１２）内の第２のアップリンクチャネル（２２０Ｓ）で動作するための許可を求める認可要求メッセージ（１６０）を受信することであって、前記認可要求メッセージ（１６０）が前記ＵＥデバイス（１０４）の現在の位置（１６４）および最大送信電力（１６２）未満であるが、エンドユーザデバイス許容送信電力制限を超える低減された送信電力を含み、前記ＵＥデバイス（１０４）が前記第１のアップリンクチャネル（２２０Ｐ）および前記第２のアップリンクチャネル（２２０Ｓ）のキャリアアグリゲーションをサポートする、前記認可要求メッセージ（１６０）を受信すること、
対応する前記最大送信電力（１６２）による前記第２のアップリンクチャネル（２２０Ｓ）上での前記ＵＥデバイス（１０４）の動作が前記第１のスペクトル帯域（１２）内で許容できない干渉を引き起こすかどうかを判定すること、
前記最大送信電力（１６２）による前記第２のアップリンクチャネル（２２０Ｓ）上での前記ＵＥデバイス（１０４）の動作が許容できない干渉を引き起こさない場合に、対応する前記最大送信電力（１６２）による前記第２のアップリンクチャネル（２２０Ｓ）上での前記ＵＥデバイス（１０４）の動作許可を認可すること、
を含む、スペクトルアクセスシステム。
【請求項１２】
前記第１のスペクトル帯域（１２）は、市民ブロードバンド無線サービス（ＣＢＲＳ）スペクトル帯域および／または３５５０ＭＨｚ〜３７００ＭＨｚの範囲の帯域のうちの１つ以上である、請求項１１に記載のスペクトルアクセスシステム。
【請求項１３】
前記ＵＥデバイス（１０４）は、前記第２のアップリンクチャネル（２２０Ｓ）を追加するように前記ＵＥデバイス（１０４）に指示する無線リソース制御メッセージ（１５０）をサービング基地局（１０２）から受信したことに応答して、前記認可要求メッセージ（１６０）を前記第１のアップリンクチャネル（２２０Ｐ）を介して送信するように構成されている、請求項１１または１２に記載のスペクトルアクセスシステム（２１０）。
【請求項１４】
前記ＵＥデバイス（１０４）は、前記第２のアップリンクチャネル（２２０Ｓ）を有効にするように前記ＵＥデバイス（１０４）に指示するアクティブ化メッセージ（１５０ｂ）をサービング基地局（１０２）から媒体アクセス制御（ＭＡＣ）要素を介して受信したことに応答して、前記認可要求メッセージ（１６０）を前記第１のアップリンクチャネル（２２０Ｐ）を介して送信するように構成されている、請求項１１〜１３のうちのいずれか一項に記載のスペクトルアクセスシステム（２１０）。
【請求項１５】
前記動作がさらに、前記ＵＥデバイス（１０４）から前記第１のアップリンクチャネル（２２０Ｐ）を介して、前記第２のアップリンクチャネル（２２０Ｓ）上での動作許可の認可の撤廃を求める認可放棄メッセージ（１９０）を受信することを含む、請求項１１〜１４のうちのいずれか一項に記載のスペクトルアクセスシステム（２１０）。
【請求項１６】
前記ＵＥデバイス（１０４）は、前記第２のアップリンクチャネル（２２０Ｓ）を削除するように前記ＵＥデバイス（１０４）に指示する無線リソース制御メッセージ（１５０）をサービング基地局（１０２）から受信したことに応答して、前記認可放棄メッセージ（１９０）を前記第１のアップリンクチャネル（２２０Ｐ）を介して送信するように構成されている、請求項１５に記載のスペクトルアクセスシステム（２１０）。
【請求項１７】
前記ＵＥデバイスは、前記第２のアップリンクチャネル（２２０Ｓ）を無効にするように前記ＵＥデバイス（１０４）に指示する非アクティブ化メッセージ（１５４）をサービング基地局（１０２）から媒体アクセス制御（ＭＡＣ）層を介して受信したことに応答して、前記認可放棄メッセージ（１９０）を前記第１のアップリンクチャネル（２２０Ｐ）を介して送信するように構成されている、請求項１５に記載のスペクトルアクセスシステム（２１０）。
【請求項１８】
前記第２のアップリンクチャネル（２２０Ｓ）上での前記ＵＥデバイス（１０４）の動作が前記第１のスペクトル帯域（１２）内で許容できない干渉を引き起こすかどうかを判定することが、
前記第２のアップリンクチャネル（２２０Ｓ）を含む周波数内での動作のために前記ＳＡＳ（２１０）に登録されたインカンベント伝送機器（１０６）を特定するために、前記ＳＡＳ（２１０）に登録されたインカンベント伝送機器（１０６）の対応するカバレッジエリア（１２４）へのマッピングを含むＳＡＳデータソース（３００）に照会すること、
特定されたインカンベント伝送機器（１０６）ごとに、前記現在の位置（１６４）による対応する前記最大送信電力（１６２）での前記第２のアップリンクチャネル（２２０Ｓ）上での前記ＵＥデバイス（１０４）の動作に基づいて、対応する前記カバレッジエリア（１２４）内での干渉レベルを推定すること、
少なくとも１つの前記カバレッジエリア（１２４）内で推定された前記干渉レベルが干渉閾値を満たす場合に、前記最大送信電力（１６２）による前記第２のアップリンクチャネル（２２０Ｓ）上での前記ＵＥデバイス（１０４）による動作が許容できない干渉を引き起こすと判定すること、
を含む、請求項１１〜１７のうちのいずれか一項に記載のスペクトルアクセスシステム（２１０）。
【請求項１９】
前記第１のアップリンクチャネル（２２０Ｐ）がプライマリコンポーネントキャリア（２２０Ｐ）を含み、前記第２のアップリンクチャネル（２２０Ｓ）がセカンダリコンポーネントキャリア（２２０Ｓ）を含む、請求項１１〜１８のうちのいずれか一項に記載のスペクトルアクセスシステム（２１０）。
【請求項２０】
前記ＵＥデバイス（１０４）の前記最大送信電力（１６２）が、エンドユーザデバイス許容送信電力制限よりも大きな実効等方放射電力（ＥＩＲＰ）値を有する、請求項１１〜１９のうちのいずれか一項に記載のスペクトルアクセスシステム（２１０）。
【請求項２１】
アップリンクキャリアアグリゲーションの要求を認可する方法（７００）であって、
ユーザ機器（ＵＥ）デバイス（１０４）のデータ処理ハードウェア（１０５）において、第１のスペクトル帯域（１２）内のセカンダリコンポーネントキャリア（ＣＣ）（１２０）を追加または有効にするように前記ＵＥデバイス（１０４）に指示する設定メッセージ（１５０）をサービング基地局（１０２）から受信することであって、前記ＵＥデバイス（１０４）がアップリンク通信用のプライマリＣＣ（１２０）およびセカンダリＣＣ（１２０）のキャリアアグリゲーションをサポートする、前記設定メッセージ（１５０）を受信すること、
前記設定メッセージ（１５０）を受信したことに応答して、前記ＵＥデバイス（１０４）が現在の位置（１６４）による最大送信電力（１６２）未満であるが、エンドユーザデバイス許容送信電力制限を超える低減された送信電力で前記セカンダリＣＣ（１２０）上で動作するための許可をスペクトルアクセスシステム（ＳＡＳ）（２１０）に求める認可要求メッセージ（１６０）を、前記ＵＥデバイス（１０４）から前記ＳＡＳ（２１０）にプライマリＣＣ（１２０）を介して送信すること、
前記ＳＡＳ（２１０）から認可メッセージ（１７０）または拒否メッセージ（１８０）のうちの一方を前記データ処理ハードウェア（１０５）において受信することであって、前記最大送信電力（１６２）による前記セカンダリＣＣ（１２０）上での前記ＵＥデバイス（１０４）の動作許可を認可する前記認可メッセージ（１７０）、または前記最大送信電力（１６２）による前記セカンダリＣＣ（１２０）上での前記ＵＥデバイスの動作許可を拒否する前記拒否メッセージ（１８０）のうちの一方を受信すること、
前記認可メッセージ（１７０）が受信された場合に、アップリンク通信の前記最大送信電力（１６２）による前記セカンダリＣＣ（１２０）上での前記ＵＥデバイス（１０４）の動作を前記データ処理ハードウェア（１０５）によって許可すること、
を備える方法。
【請求項２２】
前記第１のスペクトル帯域（２１）は、市民ブロードバンド無線サービス（ＣＢＲＳ）スペクトル帯域および／または３５５０ＭＨｚ〜３７００ＭＨｚの範囲内の帯域のうちの１つ以上である、請求項２１に記載の方法。
【請求項２３】
前記サービング基地局（１０２）から前記設定メッセージ（１５０）を受信することは、
アップリンク通信にて前記セカンダリＣＣ（１２０）を追加するように前記ＵＥデバイス（１０４）に指示する無線リソース制御メッセージ（１５０）を受信すること、または、
アップリンク通信にて前記セカンダリＣＣ（１２０）を有効にするように前記ＵＥデバイス（１０４）に指示するアクティブ化メッセージ（１５０ｂ）を媒体アクセス制御（ＭＡＣ）要素を介して受信すること、
のうちの一方を含む、請求項２１または２２に記載の方法（７００）。
【請求項２４】
前記ＳＡＳ（２１０）は、
前記認可要求メッセージ（１６０）を受信したことに応答して、前記現在の位置（１６４）による前記最大送信電力（１６２）での前記セカンダリＣＣ（１２０）上での前記ＵＥデバイス（１０４）の動作が前記第１のスペクトル帯域（１２）内で許容できない干渉を引き起こすかどうかを判定し、
前記現在の位置（１６４）による前記最大送信電力（１６２）での前記セカンダリＣＣ（１２０）上での前記ＵＥデバイス（１０４）の動作が許容できない干渉を引き起こさない場合に前記認可メッセージ（１７０）を送信し、
前記現在の位置（１６４）による前記最大送信電力（１６２）での前記セカンダリＣＣ（１２０）上での前記ＵＥデバイス（１０４）の動作が許容できない干渉を引き起こす場合に前記拒否メッセージ（１８０）を送信する
ように構成されている、請求項２１〜２３のうちのいずれか一項に記載の方法（７００）。
【請求項２５】
前記ＳＡＳ（２１０）は、
前記セカンダリＣＣ（１２０）を含む周波数内での動作のために前記ＳＡＳ（２１０）に登録されたインカンベント伝送機器（１０６）を特定するために、前記ＳＡＳ（２１０）に登録されたインカンベント伝送機器（１０６）の対応するカバレッジエリア（１２４）へのマッピングを含みメモリハードウェアに記憶されているＳＡＳデータソース（３００）に照会し、
特定されたインカンベント伝送機器（１０６）ごとに、前記現在の位置（１６４）による前記最大送信電力（１６２）での前記セカンダリＣＣ（１２０）上での前記ＵＥデバイス（１０４）の動作に基づいて、対応する前記カバレッジエリア（１２４）内での干渉レベルを推定し、
少なくとも１つの前記カバレッジエリア（１２４）内で前記推定された干渉レベルが干渉閾値を満たす場合に、前記現在の位置（１６４）による前記最大送信電力（１６２）での前記セカンダリＣＣ（１２０）上での前記ＵＥデバイス（１０４）による動作が許容できない干渉を引き起こすと判定する
ことによって、前記現在の位置（１６４）による前記最大送信電力（１６２）での前記セカンダリＣＣ（１２０）上での前記ＵＥデバイス（１０４）の動作が前記第１のスペクトル帯域（１２）内で許容できない干渉を引き起こすかどうかを判定する、請求項２４に記載の方法（７００）。
【請求項２６】
前記ＳＡＳ（２１０）からの前記拒否メッセージ（１８０）が受信された場合に、前記ＵＥデバイス（１０４）が前記現在の位置（１６４）による低減された送信電力（１６２）にて前記セカンダリＣＣ（１２０）上で動作するための許可を前記ＳＡＳ（２１０）に求める次の認可要求メッセージ（１６０）を、前記ＵＥデバイス（１０４）から前記ＳＡＳ（２１０）に前記プライマリＣＣ（１２０）を介して送信することをさらに備え、前記低減された送信電力（１６２）が、前記最大送信電力（１６２）未満でありかつエンドユーザデバイス許容送信電力制限よりも大きな実効等方放射電力（ＥＩＲＰ）値を有する、請求項２１〜２５のうちのいずれか一項に記載の方法（７００）。
【請求項２７】
前記ＳＡＳ（２１０）からの前記拒否メッセージ（１８０）が受信された場合に、前記データ処理ハードウェア（１０５）によって、前記最大送信電力未満の許容送信電力で前記ＵＥデバイス（１０４）を前記セカンダリＣＣ（１２０）上で動作させることをさらに備え、前記許容送信電力は、前記セカンダリＣＣ（１２０）を介したアップリンク通信のための前記ＳＡＳ（２１０）による認可を必要とせず、エンドユーザデバイス許容送信電力制限以下の実効等方放射電力（ＥＩＲＰ）値を有する、請求項２１〜２６のうちのいずれか一項に記載の方法（７００）。
【請求項２８】
ユーザ機器（ＵＥ）デバイス（１０４）であって、
データ処理ハードウェア（１０５）と、
前記データ処理ハードウェア（１０５）と通信するメモリハードウェア（１０７）であって、前記データ処理ハードウェア（１０５）で実行されたときに当該データ処理ハードウェア（１０５）に動作を実行させる命令を記憶するメモリハードウェア（１０７）と、を備え、前記動作が、
プライマリコンポーネントキャリア（ＣＣ）（１２０）を介してサービング基地局（１０２）から、第１のスペクトル帯域（１２）内のセカンダリＣＣ（１２０）を追加または有効にするように前記ＵＥデバイス（１０４）に指示する設定メッセージ（１５０）を受信することであって、前記ＵＥデバイス（１０４）がアップリンク通信用の前記プライマリＣＣ（１２０）および前記セカンダリＣＣ（１２０）のキャリアアグリゲーションをサポートする、前記設定メッセージ（１５０）を受信すること、
前記設定メッセージ（１５０）を受信したことに応答して、前記ＵＥデバイス（１０４）が現在の位置（１６４）による最大送信電力未満であるが、エンドユーザデバイス許容送信電力制限を超える低減された送信電力にて前記セカンダリＣＣ（１２０）上で動作するための許可をスペクトルアクセスシステム（ＳＡＳ）（２１０）に求める認可要求メッセージ（１６０）を、前記ＵＥデバイス（１０４）から前記ＳＡＳ（２１０）に前記プライマリＣＣ（１２０）を介して送信すること、
前記ＳＡＳ（２１０）から認可メッセージ（１７０）または拒否メッセージ（１８０）のうちの一方を受信することであって、前記現在の位置（１６４）による前記最大送信電力での前記セカンダリＣＣ（１２０）上での前記ＵＥデバイスの動作許可を認可する前記認可メッセージ（１７０）、または前記現在の位置（１６４）による前記最大送信電力での前記セカンダリＣＣ（１２０）上での前記ＵＥデバイスの動作許可を拒否する前記拒否メッセージ（１８０）のうちの一方を受信すること、
前記認可メッセージ（１７０）が受信された場合に、アップリンク通信にて前記現在の位置（１６４）による前記最大送信電力で前記ＵＥデバイス（１０４）を前記セカンダリＣＣ（１２０）上で動作させること、
を含む、ＵＥデバイス。
【請求項２９】
前記第１のスペクトル帯域（１２）は、市民ブロードバンド無線サービス（ＣＢＲＳ）スペクトル帯域および／または３５５０ＭＨｚ〜３７００ＭＨｚの範囲内の帯域のうちの１つ以上である、請求項２８に記載のＵＥデバイス。
【請求項３０】
前記サービング基地局（１０２）から前記設定メッセージ（１５０）を受信することは、
アップリンク通信にて前記セカンダリＣＣ（１２０）を追加するように前記ＵＥデバイス（１０４）に指示する無線リソース制御メッセージ（１５０）を受信すること、または、
アップリンク通信にて前記セカンダリＣＣ（１２０）を有効にするように前記ＵＥデバイス（１０４）に指示するアクティブ化メッセージ（１５０ｂ）を媒体アクセス制御（ＭＡＣ）要素を介して受信すること、
のうちの一方を含む、請求項２８または２９に記載のＵＥデバイス（１０４）。
【請求項３１】
前記ＳＡＳ（２１０）は、
前記認可要求メッセージ（１６０）を受信したことに応答して、前記現在の位置（１６４）による前記最大送信電力での前記セカンダリＣＣ（１２０）上での前記ＵＥデバイス（１０４）の動作が前記第１のスペクトル帯域（１２）内で許容できない干渉を引き起こすかどうかを判定し、
前記現在の位置（１６４）による前記最大送信電力での前記セカンダリＣＣ（１２０）上での前記ＵＥデバイス（１０４）の動作が許容できない干渉を引き起こさない場合に前記認可メッセージ（１７０）を送信し、
前記現在の位置（１６４）による前記最大送信電力での前記セカンダリＣＣ（１２０）上での前記ＵＥデバイス（１０４）の動作が許容できない干渉を引き起こす場合に前記拒否メッセージ（１８０）を送信する
ように構成されている、請求項２８〜３０のうちのいずれか一項に記載のＵＥデバイス（１０４）。
【請求項３２】
前記ＳＡＳ（２１０）は、
前記セカンダリＣＣ（１２０）を含む周波数内での動作のために前記ＳＡＳ（２１０）に登録されたインカンベント伝送機器（１０６）を特定するために、前記ＳＡＳ（２１０）に登録されたインカンベント伝送機器（１０６）の対応するカバレッジエリア（１２４）へのマッピングを含み前記メモリハードウェアに記憶されているＳＡＳデータソース（３００）に照会し、
特定されたインカンベント伝送機器（１０６）ごとに、前記現在の位置（１６４）による前記最大送信電力での前記セカンダリＣＣ（１２０）上での前記ＵＥデバイス（１０４）の動作に基づいて、対応する前記カバレッジエリア（１２４）内での干渉レベルを推定し、
少なくとも１つの前記カバレッジエリア（１２４）内で前記推定された干渉レベルが干渉閾値を満たす場合に、前記現在の位置（１６４）による前記最大送信電力での前記セカンダリＣＣ（１２０）上での前記ＵＥデバイス（１０４）による動作が許容できない干渉を引き起こすと判定する
ことによって、前記現在の位置（１６４）による前記最大送信電力での前記セカンダリＣＣ（１２０）上での前記ＵＥデバイス（１０４）の動作が前記第１のスペクトル帯域（１２）内で許容できない干渉を引き起こすかどうかを判定する、請求項３１に記載のＵＥデバイス（１０４）。
【請求項３３】
前記動作がさらに、前記ＳＡＳ（２１０）からの前記拒否メッセージ（１８０）が受信された場合に、前記最大送信電力未満でありかつエンドユーザデバイス許容送信電力制限よりも大きな実効等方放射電力（ＥＩＲＰ）値を有する送信電力（１６２）にて前記ＵＥデバイス（１０４）が前記セカンダリＣＣ（１２０）上で動作するための許可を前記ＳＡＳ（２１０）に求める次の認可要求メッセージ（１６０）を、前記ＵＥデバイス（１０４）から前記ＳＡＳ（２１０）に前記プライマリＣＣ（１２０）を介して送信することを含む、請求項２８〜３２のうちのいずれか一項に記載のＵＥデバイス（１０４）。
【請求項３４】
前記動作がさらに、前記ＳＡＳ（２１０）からの前記拒否メッセージ（１８０）が受信された場合に、前記最大送信電力未満の許容送信電力で前記ＵＥデバイス（１０４）を前記セカンダリＣＣ（１２０）上で動作させることを含み、前記許容送信電力は、前記セカンダリＣＣ（１２０）を介したアップリンク通信のための前記ＳＡＳ（２１０）による認可を必要とせず、エンドユーザデバイス許容送信電力制限以下の実効等方放射電力（ＥＩＲＰ）値を有する、請求項２８〜３３のうちのいずれか一項に記載のＵＥデバイス（１０４）。
【発明の詳細な説明】
【技術分野】
【０００１】
この開示は、アップリンクキャリアアグリゲーションのためのユーザ機器とスペクトル割り当てシステムとの間の認可手順に関する。
【背景技術】
【０００２】
ロングタームエボリューション（ＬＴＥ）は、モバイルデバイスおよびデータ端末のための高速データ無線通信規格である。ＬＴＥは、移動通信用グローバルシステム（Global System for Mobile Communications）／ＧＳＭ進化型高速データレート（Enhanced Data Rates for GSM Evolution）（ＧＳＭ／ＥＤＧＥ（ＧＳＭは登録商標））およびユニバーサル移動体通信システム（Universal Mobile Telecommunication System）／高速パケットアクセス（High Speed Packet Access）（ＵＭＴＳ／ＨＳＰＡ）ネットワーク技術に基づいている。ＬＴＥは、コアネットワークの改善に加えて様々な比率のインタフェースを使用することにより通信の容量と速度を向上させるように構成されている。ＬＴＥは、１．４ＭＨｚ〜２０ＭＨｚのスケーラブルなキャリア帯域幅をサポートし、周波数分割二重化（ＦＤＤ）と時分割二重化（ＴＤＤ）の両方をサポートする。
【０００３】
ＬＴＥネットワークでは、進化ノード（ｅＮＢ：evolved Node）とのシグナリングおよび通信のやりとりのためにｅＮＢによって無線ユーザ機器（ＵＥ）にトラフィックチャネルとシグナリングチャネルを割り当てることができる。キャリアアグリゲーションによって、ｅＮＢは、ＵＥがｅＮＢとの高速通信をやりとりする際に使用するための複数のコンポーネントキャリア（ＣＣ）をまとめて割り当てることができる。キャリアアグリゲーションでは、通常、コンポーネントキャリアごとに１つずつの、多数のサービスセルを定義する。ＵＥは、米国で市民ブロードバンド無線システム（ＣＢＲＳ：Citizens Broadband Radio System）として知られている共有３．５ＧＨｚスペクトルによるアップリンクＣＡ用の複数のアップリンク（ＵＬ）チャネルで動作するためにスペクトル割り当てシステム（ＳＡＳ）による認可を申請し得る。ＳＡＳは、インカンベント（incumbent）を保護する方法で共有３．５ＧＨｚスペクトルを機器プロバイダに供給する役割を担っている。ＳＡＳ認可手順を実行しないと、ＵＥは高い送信電力でアップリンクＣＡを使用して動作することができなくなり、その結果、ＵＥによるアップリンクのスループットおよびレンジが制限される。
【発明の概要】
【０００４】
本開示の一態様は、ユーザ機器（ＵＥ）デバイスから第１のアップリンクチャネルを介して認可要求メッセージを受信したとき、前記ＵＥデバイスが第２のアップリンクチャネル上で動作するための許可をスペクトルアクセスシステム（ＳＡＳ）により認可する方法を提供する。前記方法は、前記ＵＥデバイスから前記第１のアップリンクチャネルを介して、米国で市民ブロードバンド無線サービス（ＣＢＲＳ：Citizens Broadband Radio Services）スペクトル帯域として知られている３５５０ＭＨｚ〜３７００ＭＨｚの帯域などの第１のスペクトル帯域内にて第２のアップリンクチャネル上での動作許可を求める認可要求メッセージを前記ＳＡＳのデータ処理ハードウェアにおいて受信することを含む。前記認可要求は、前記ＵＥデバイスの現在の位置および最大送信電力を含み、前記ＵＥデバイスは、前記第１のアップリンクチャネルおよび前記第２のアップリンクチャネルのキャリアアグリゲーションをサポートする。前記方法は、対応する前記最大送信電力による前記第２のアップリンクチャネル上での前記ＵＥデバイスの動作が前記第１のスペクトル帯域内で許容できない干渉を引き起こすかどうかを前記データ処理ハードウェアによって判定することをさらに含む。前記方法は、前記最大送信電力による前記第２のアップリンクチャネル上での前記ＵＥデバイスの動作が許容できない干渉を引き起こさない場合、対応する前記送信電力による前記第２のアップリンクチャネル上での前記ＵＥデバイスの動作許可を前記データ処理ハードウェアによって認可することを含む。
【０００５】
本開示の実施形態は、以下の任意選択特徴のうちの１つ以上を含み得る。いくつかの実装形態において、前記ＵＥデバイスは、前記第２のアップリンクチャネルを追加するように前記ＵＥデバイスに指示する無線リソース制御メッセージをサービング基地局から受信したことに応答して、前記認可要求メッセージを前記第１のアップリンクチャネルを介して送信するように構成されている。任意で、前記ＵＥデバイスは、前記第２のアップリンクチャネルを有効にするように前記ＵＥデバイスに指示するアクティブ化メッセージをサービング基地局から媒体アクセス制御（ＭＡＣ）要素を介して受信したことに応答して、前記認可要求メッセージを前記第１のアップリンクチャネルを介して送信するように構成され得る。
【０００６】
いくつかの例において、前記方法は、前記ＵＥデバイスから前記第１のアップリンクチャネルを介して、前記第２のアップリンクチャネル上での動作許可の認可の撤廃を求める認可放棄メッセージを前記データ処理ハードウェアにおいて受信することを含む。この例では、前記ＵＥデバイスは、前記第２のアップリンクチャネルを削除するように前記ＵＥデバイスに指示する無線リソース制御メッセージをサービング基地局から受信したことに応答して、前記認可放棄メッセージを前記第１のアップリンクチャネルを介して送信するように構成されている。追加的または代替的に、前記ＵＥデバイスは、前記第２のアップリンクチャネルを無効にするように前記ＵＥデバイスに指示する非アクティブ化メッセージをサービング基地局から媒体アクセス制御（ＭＡＣ）要素を介して受信したことに応答して、前記認可放棄メッセージを前記第１のアップリンクチャネルを介して送信するように構成され得る。
【０００７】
いくつかの構成において、前記第２のアップリンクチャネル上での前記ＵＥデバイスの動作が前記第１のスペクトル帯域内で許容できない干渉を引き起こすかどうかを判定することは、ＳＡＳデータソースに照会して前記第２のアップリンクチャネルを含む周波数内での動作のために前記ＳＡＳに登録されたインカンベント伝送機器を特定することを含む。前記データソースは、前記ＳＡＳに登録されたインカンベント伝送機器の対応するカバレッジエリアへのマッピングを含む。この構成において、前記方法は、特定されたインカンベント伝送機器ごとに、現在の位置による対応する前記最大送信電力での前記第２のアップリンクチャネル上での前記ＵＥデバイスの動作に基づいて、対応する前記カバレッジエリア内での干渉レベルを推定することを含む。ここで、前記方法は、少なくとも１つの前記カバレッジエリア内での前記推定された干渉レベルが干渉閾値を満たす場合、前記最大送信電力による前記第２のアップリンクチャネル上での前記ＵＥデバイスによる動作が許容できない干渉を引き起こすと判定することを含む。例えば、前記推定された干渉レベルは、前記干渉閾値を超える場合に当該干渉閾値を満たし得る。
【０００８】
いくつかの例において、前記第１のアップリンクチャネルはプライマリコンポーネントキャリアを含み、前記第２のアップリンクチャネルはセカンダリコンポーネントキャリアを含む。任意で、前記ＵＥデバイスの前記最大送信電力は、２３デシベルミリワット（ｄＢｍ）よりも大きい実効等方放射電力（ＥＩＲＰ）値を有し得る。
【０００９】
本開示の別の態様は、データ処理ハードウェアと、そのデータ処理ハードウェアと通信するメモリハードウェアとを含むスペクトルアクセスシステム（ＳＡＳ）を提供する。前記メモリハードウェアは、前記データ処理ハードウェア上で実行されたときに前記データ処理ハードウェアに動作を実行させる命令を記憶する。前記動作は、ユーザ機器（ＵＥ）デバイスから第１のアップリンクチャネルを介して、米国で市民ブロードバンド無線サービス（ＣＢＲＳ）スペクトル帯域として知られている３５５０ＭＨｚ〜３７００ＭＨｚの帯域などの第１のスペクトル帯域内にて第２のアップリンクチャネル上での動作許可を求める認可要求メッセージを受信することを含む。前記認可要求メッセージは、前記ＵＥデバイスの現在の位置および最大送信電力を含み、前記ＵＥデバイスは、前記第１のアップリンクチャネルおよび前記第２のアップリンクチャネルのキャリアアグリゲーションをサポートする。前記動作は、対応する前記最大送信電力による前記第２のアップリンクチャネル上での前記ＵＥデバイスの動作が前記第１のスペクトル帯域内で許容できない干渉を引き起こすかどうかを判定することをさらに含む。前記動作は、前記最大送信電力による前記第２のアップリンクチャネル上での前記ＵＥデバイスの動作が許容できない干渉を引き起こさない場合、対応する前記送信電力による前記第２のアップリンクチャネル上での前記ＵＥデバイスの動作許可を前記データ処理ハードウェアにより認可することを含む。
【００１０】
本開示の実施形態は、以下の任意選択特徴のうちの１つ以上を含み得る。前記システムのいくつかの実装形態において、前記ＵＥデバイスは、前記第２のアップリンクチャネルを追加するように前記ＵＥデバイスに指示する無線リソース制御メッセージをサービング基地局から受信したことに応答して、前記認可要求メッセージを前記第１のアップリンクチャネルを介して送信するように構成されている。別の構成では、前記ＵＥデバイスは、前記第２のアップリンクチャネルを有効にするように前記ＵＥデバイスに指示するアクティブ化メッセージをサービング基地局から媒体アクセス制御（ＭＡＣ）要素を介して受信したことに応答して、前記認可要求メッセージを前記第１のアップリンクチャネルを介して送信するように構成されている。
【００１１】
いくつかの構成において、前記動作は、前記ＵＥデバイスから前記第１のアップリンクチャネルを介して、前記第２のアップリンクチャネル上での動作許可の認可の撤廃を求める認可放棄メッセージを受信することを含む。いくつかの状況では、前記ＵＥデバイスは、前記第２のアップリンクチャネルを削除するように前記ＵＥデバイスに指示する無線リソース制御メッセージをサービング基地局から受信したことに応答して、前記認可放棄メッセージを前記第１のアップリンクチャネルを介して送信するように構成され得る。任意で、前記ＵＥデバイスは、前記第２のアップリンクチャネルを無効にするように前記ＵＥデバイスに指示する非アクティブ化メッセージをサービング基地局から媒体アクセス制御（ＭＡＣ）要素を介して受信したことに応答して、前記認可放棄メッセージを前記第１のアップリンクチャネルを介して送信するように構成され得る。
【００１２】
いくつかの例において、前記システムは、前記第２のアップリンクチャネル上での前記ＵＥデバイスの動作が前記第１のスペクトル帯域内で許容できない干渉を引き起こすかどうかを判定する際、ＳＡＳデータソースに照会して前記第２のアップリンクチャネルを含む周波数内での動作のために前記ＳＡＳに登録されたインカンベント伝送機器を特定することを含む。前記ＳＡＳデータソースは、前記ＳＡＳに登録されたインカンベント伝送機器の対応するカバレッジエリアへのマッピングを含む。この例では、前記システムは、特定されたインカンベント伝送機器ごとに、現在の位置による対応する前記最大送信電力での前記第２のアップリンクチャネル上での前記ＵＥデバイスの動作に基づいて、対応する前記カバレッジエリア内での干渉レベルを推定することを含む。ここで、前記システムは、少なくとも１つの前記カバレッジエリア内での前記推定された干渉レベルが干渉閾値を満たす場合に、前記最大送信電力による前記第２のアップリンクチャネル上での前記ＵＥデバイスによる動作が許容できない干渉を引き起こすと判定することを含む。
【００１３】
前記ＳＡＳのいくつかの構成において、前記第１のアップリンクチャネルはプライマリコンポーネントキャリアを含み、前記第２のアップリンクチャネルはセカンダリコンポーネントキャリアを含む。前記ＵＥデバイスの前記最大送信電力は、２３デシベルミリワット（ｄＢｍ）よりも大きい実効等方放射電力（ＥＩＲＰ）値を有し得る。
【００１４】
本開示のさらに別の態様は、プライマリコンポーネントキャリア（ＣＣ）を使用して、セカンダリＣＣ上での動作許可についてのスペクトルアクセスシステム（ＳＡＳ）による認可を申請する方法を提供する。この方法は、前記プライマリＣＣを介してサービング基地局からの設定メッセージ（configuration message）を前記ＵＥデバイスのデータ処理ハードウェアにおいて受信することを含む。前記設定メッセージは、米国で市民ブロードバンド無線サービス（ＣＢＲＳ）スペクトル帯域として知られている３５５０ＭＨｚ〜３７００ＭＨｚの帯域などの第１のスペクトル帯域内にてセカンダリＣＣを追加または有効化するように前記ＵＥデバイスに指示するものである。前記ＵＥデバイスは、アップリンク通信用の前記プライマリＣＣおよび前記セカンダリＣＣのキャリアアグリゲーションをサポートする。前記方法は、前記設定メッセージを受信したことに応答して、前記ＵＥデバイスから前記ＳＡＳに前記プライマリＣＣを介して認可要求メッセージを送信することをさらに含む。前記認可要求メッセージは、現在の位置による最大送信電力での前記セカンダリＣＣ上での前記ＵＥデバイスの動作許可を前記ＳＡＳに要求する。前記方法は、前記ＳＡＳから認可メッセージまたは拒否メッセージの一方を前記データ処理ハードウェアにおいて受信することをさらに含む。前記認可メッセージは、前記最大送信電力による前記セカンダリＣＣ上での前記ＵＥデバイスの動作許可を認可し、前記拒否メッセージは、前記最大送信電力による前記セカンダリＣＣ上での前記ＵＥデバイスの動作許可を拒否する。前記方法は、前記認可メッセージが受信された場合に、前記データ処理ハードウェアによって、アップリンク通信の前記最大送信電力により前記セカンダリＣＣ上で前記ＵＥデバイスを動作させることを含む。
【００１５】
本開示におけるユーザ機器のための方法の実装形態は、以下の任意選択特徴のうちの１つ以上を含み得る。いくつかの例では、前記サービング基地局から前記設定メッセージを受信することは、アップリンク通信用の前記セカンダリＣＣを追加するように前記ＵＥデバイスに指示する無線リソース制御メッセージを受信すること、または、アップリンク通信用の前記セカンダリＣＣを有効にするように前記ＵＥデバイスに指示するアクティブ化メッセージを媒体アクセス制御（ＭＡＣ）要素を介して受信することのうちの一方を含む。
【００１６】
いくつかの構成において、前記ＳＡＳは、前記認可要求メッセージを受信したことに応答して、現在の位置による前記最大送信電力での前記セカンダリＣＣ上での前記ＵＥデバイスの動作が前記第１のスペクトル帯域内で許容できない干渉を引き起こすどうかを決定し、現在の位置による前記最大送信電力での前記セカンダリＣＣ上での前記ＵＥデバイスの動作が許容できない干渉を引き起こさない場合に前記認可メッセージを送信する一方、現在の位置による前記最大送信電力での前記セカンダリＣＣ上での前記ＵＥデバイスの動作が許容できない干渉を引き起こす場合に前記拒否メッセージを送信することを含む。この構成では、前記ＳＡＳは、前記メモリハードウェアに記憶されているＳＡＳデータソースに照会して前記セカンダリＣＣを含む周波数内での動作のために前記ＳＡＳに登録されたインカンベント伝送機器を特定することによって、現在の位置による前記最大送信電力での前記セカンダリＣＣ上での前記ＵＥデバイスの動作が前記第１のスペクトル帯域内で許容できない干渉を引き起こすかどうかを判定し得る。ここで、前記ＳＡＳデータソースは、前記ＳＡＳに登録されたインカンベント伝送機器の対応するカバレッジエリアへのマッピングを含む。前記方法は、特定されたインカンベント伝送機器ごとに、現在の位置による前記最大送信電力での前記セカンダリＣＣ上での前記ＵＥデバイスの動作に基づいて、対応する前記カバレッジエリア内での干渉レベルを推定すること、および、前記カバレッジエリアの少なくとも１つが干渉閾値を満たす場合に現在の位置による前記最大送信電力での前記セカンダリＣＣ上での前記ＵＥデバイスによる動作が許容できない干渉を引き起こすと判定することを含み得る。
【００１７】
いくつかの実装形態において、前記方法は、前記拒否メッセージが前記ＳＡＳから受信された場合に前記ＵＥデバイスから前記ＳＡＳに前記プライマリＣＣを介して次の認可要求メッセージを送信することを含む。ここで、前記次の認可要求メッセージは、現在の位置による低減された送信電力での前記セカンダリＣＣ上での前記ＵＥデバイスの動作許可を前記ＳＡＳに要求するものであり、前記低減された送信電力は、前記最大送信電力よりも小さく、かつ２３デシベルミリワット（ｄＢｍ）よりも大きな実効等方放射電力（ＥＩＲＰ）値を有する。別の例では、前記方法は、前記拒否メッセージが前記ＳＡＳから受信された場合に、前記データ処理ハードウェアによって、前記最大送信電力未満の許容送信電力により前記セカンダリＣＣ上で前記ＵＥデバイスを動作させることを含み、前記許容送信電力は、前記セカンダリＣＣを介したアップリンク通信に前記ＳＡＳによる認可を必要とせず、２３ｄＢｍ以下の実効等方放射電力（ＥＩＲＰ）値を有する。
【００１８】
本開示の追加の態様は、ユーザ機器（ＵＥ）デバイスを提供する。ＵＥデバイスは、データ処理ハードウェアと、そのデータ処理ハードウェアと通信するメモリハードウェアとを含む。前記メモリハードウェアは、前記データ処理ハードウェア上で実行されたときに前記データ処理ハードウェアに動作を実行させる命令を記憶する。前記動作は、サービング基地局からプライマリコンポーネントキャリア（ＣＣ）を介して、米国で市民ブロードバンド無線サービス（ＣＢＲＳ）スペクトル帯域として知られている３５５０ＭＨｚ〜３７００ＭＨｚの帯域などの第１のスペクトル帯域内にてセカンダリＣＣを追加または有効化するように前記ＵＥデバイスに指示する設定メッセージを受信することを含む。前記ＵＥデバイスは、アップリンク通信用の前記プライマリＣＣおよび前記セカンダリＣＣのキャリアアグリゲーションをサポートする。また、前記動作は、前記設定メッセージを受信したことに応答して、前記ＵＥデバイスからスペクトルアクセスシステム（ＳＡＳ）に前記プライマリＣＣを介して認可要求メッセージを送信することを含む。前記認可要求メッセージは、現在の位置による最大送信電力での前記セカンダリＣＣ上での前記ＵＥデバイスの動作許可を前記ＳＡＳに要求する。前記動作はさらに、前記ＳＡＳから認可メッセージまたは拒否メッセージの一方を受信することを含む。前記認可メッセージは、現在の位置による前記最大送信電力での前記セカンダリＣＣ上での前記ＵＥデバイスの動作許可を認可し、前記拒否メッセージは、現在の位置による前記最大送信電力での前記セカンダリＣＣ上での前記ＵＥデバイスの動作許可を拒否する。前記動作は、前記認可メッセージが受信された場合に、アップリンク通信での現在の位置による前記最大送信電力にて前記セカンダリＣＣ上で前記ＵＥデバイスを動作させることを含む。
【００１９】
本開示における前記ＵＥデバイスの実装形態は、以下の任意選択特徴のうちの１つ以上を含み得る。いくつかの例では、前記サービング基地局から前記設定メッセージを受信することは、アップリンク通信にて前記セカンダリＣＣを追加するように前記ＵＥデバイスに指示する無線リソース制御メッセージを受信すること、または、アップリンク通信にて前記セカンダリＣＣを有効にするように前記ＵＥデバイスに指示するアクティブ化メッセージを媒体アクセス制御（ＭＡＣ）要素を介して受信することを含む。
【００２０】
いくつかの構成において、前記ＳＡＳは、前記認可要求メッセージを受信したことに応答して、現在の位置による前記最大送信電力での前記セカンダリＣＣ上での前記ＵＥデバイスの動作が前記第１のスペクトル帯域内で許容できない干渉を引き起こすかどうかを判定し、現在の位置による前記最大送信電力での前記セカンダリＣＣ上での前記ＵＥデバイスの動作が許容できない干渉を引き起こさない場合に前記認可メッセージを送信する一方、現在の位置による前記最大送信電力での前記セカンダリＣＣ上での前記ＵＥデバイスの動作が許容できない干渉を引き起こす場合に前記拒否メッセージを送信するように構成されている。これらの構成では、前記ＳＡＳは、前記メモリハードウェアに記憶されているＳＡＳデータソースに照会して前記セカンダリＣＣを含む周波数内での動作のために前記ＳＡＳに登録されたインカンベント伝送機器を特定することによって、現在の位置による前記最大送信電力での前記セカンダリＣＣ上での前記ＵＥデバイスの動作が前記第１のスペクトル帯域内で許容できない干渉を引き起こすかどうかを判定し得る。ここで、前記ＳＡＳデータソースは、前記ＳＡＳに登録されたインカンベント伝送機器の対応するカバレッジエリアへのマッピングを含む。前記方法は、特定されたインカンベント伝送機器ごとに、現在の位置による前記最大送信電力での前記セカンダリＣＣ上での前記ＵＥデバイスの動作に基づいて、対応する前記カバレッジエリア内での干渉レベルを推定すること、および、前記カバレッジエリアの少なくとも１つが干渉閾値を満たす場合に現在の位置による前記最大送信電力での前記セカンダリＣＣ上での前記ＵＥデバイスによる動作が許容できない干渉を引き起こすと判定することを含み得る。
【００２１】
いくつかの実装形態において、前記動作は、前記拒否メッセージが前記ＳＡＳから受信された場合に前記ＵＥデバイスから前記プライマリＣＣを介して前記ＳＡＳに次の認可要求メッセージを送信することを含む。これらの実装形態において、前記次の認可要求メッセージは、低減された送信電力での前記セカンダリＣＣ上での前記ＵＥデバイスの動作許可を前記ＳＡＳに要求し、前記低減された送信電力は、前記最大送信電力よりも小さく、かつ２３デシベルミリワット（ｄＢｍ）よりも大きな実効等方放射電力（ＥＩＲＰ）値を有する。任意で、前記動作は、前記ＵＥデバイスが前記ＳＡＳから前記拒否メッセージを受信した場合に前記最大送信電力未満の許容送信電力にて前記セカンダリＣＣ上で前記ＵＥデバイスを動作させることを含み得る。前記ＵＥデバイスによるアップリンク送信に許容送信電力を使用する場合、当該許容送信電力は２３デシベルミリワット（ｄＢｍ）以下の実効等方放射電力（ＥＩＲＰ）値を有するため、前記セカンダリＣＣを介したアップリンク通信に前記ＳＡＳによる認可を必要としない。
【００２２】
本開示は、干渉レベルが許容できないかどうかを判定するための技術、メトリック、またはパラメータに限定されない。多くの非限定的な例が想定されている。いくつかの例において、許容できない干渉は以下の条件のうちの１つ以上によって判定することができ、この条件は、ＵＥ／ＣＰＥデバイスが他のＥＰ／ＣＰＥの閾値距離内で動作している場合、および／または前記ＵＥ／ＣＰＥデバイスの現在の位置が制限エリア（例えば、インカンベントユーザ用に確保されたエリア）の閾値距離内にある場合、および／または前記干渉レベルが干渉閾値を超える場合、および／またはカバレッジエリア１２４の少なくとも１つ内の前記干渉レベルが干渉閾値を超える場合である。
【００２３】
異なるカバレッジエリア１２４は、異なる干渉閾値を規定し得る。例えば、インカンベントユーザ１０ａのカバレッジエリア１２４は、すべての干渉を完全に抑制し得るか、またはＰＡＬユーザ１０ｂに関連付けられたカバレッジエリア１２４と比べてより低い干渉レベルを許容し得る。本開示の１つまたは複数の実装形態の詳細は、添付の図面および以下の説明に記載されている。他の態様、特徴、および利点は、詳細な説明および図面、ならびに特許請求の範囲から明らかとなる。
【図面の簡単な説明】
【００２４】
【図１】例示的なネットワークの概略図である。
【図２】免許不要の市民ブロードバンド無線サービス（ＣＢＲＳ）帯域へのアクセスを管理するためのスペクトルアクセスシステム（ＳＡＳ）を含む例示的なスペクトル共有フレームワークの概略図である。
【図３】ＳＡＳに登録されたインカンベント伝送機器の対応するカバレッジエリアへの例示的なマッピングを含む概略図である。
【図４Ａ】ユーザ機器（ＵＥ）デバイスがプライマリコンポーネントキャリア（ＣＣ）を使用してセカンダリＣＣのアップリンクキャリアアグリゲーションの認可を申請する処理を示す例示的なネットワーク環境の概略図であって、セカンダリＣＣを追加するようにＵＥデバイスに指示する設定メッセージをＵＥデバイスがサービング基地局から受信したときの認可の申請を示す概略図である。
【図４Ｂ】ユーザ機器（ＵＥ）デバイスがプライマリコンポーネントキャリア（ＣＣ）を使用してセカンダリＣＣのアップリンクキャリアアグリゲーションの認可を申請する処理を示す例示的なネットワーク環境の概略図であって、セカンダリＣＣを追加するようにＵＥデバイスに指示する設定メッセージをＵＥデバイスがサービング基地局から受信したときの認可の申請を示す概略図である。
【図４Ｃ】ユーザ機器（ＵＥ）デバイスがプライマリコンポーネントキャリア（ＣＣ）を使用してセカンダリＣＣのアップリンクキャリアアグリゲーションの認可を申請する処理を示す例示的なネットワーク環境の概略図であって、セカンダリＣＣを追加するようにＵＥデバイスに指示する設定メッセージをＵＥデバイスがサービング基地局から受信したときの認可の申請を示す概略図である。
【図５Ａ】ＵＥデバイスがプライマリＣＣを使用してセカンダリＣＣのアップリンクキャリアアグリゲーションの認可を申請する処理を示す例示的なネットワーク環境の概略図であって、セカンダリＣＣを有効にするようにＵＥデバイスに指示する設定メッセージをＵＥデバイスがサービング基地局から受信したときの認可の申請を示す概略図である。
【図５Ｂ】ＵＥデバイスがプライマリＣＣを使用してセカンダリＣＣのアップリンクキャリアアグリゲーションの認可を申請する処理を示す例示的なネットワーク環境の概略図であって、セカンダリＣＣを有効にするようにＵＥデバイスに指示する設定メッセージをＵＥデバイスがサービング基地局から受信したときの認可の申請を示す概略図である。
【図５Ｃ】ＵＥデバイスがプライマリＣＣを使用してセカンダリＣＣのアップリンクキャリアアグリゲーションの認可を申請する処理を示す例示的なネットワーク環境の概略図であって、セカンダリＣＣを有効にするようにＵＥデバイスに指示する設定メッセージをＵＥデバイスがサービング基地局から受信したときの認可の申請を示す概略図である。
【図５Ｄ】ＵＥデバイスがプライマリＣＣを使用してセカンダリＣＣのアップリンクキャリアアグリゲーションの認可を申請する処理を示す例示的なネットワーク環境の概略図であって、セカンダリＣＣを有効にするようにＵＥデバイスに指示する設定メッセージをＵＥデバイスがサービング基地局から受信したときの認可の申請を示す概略図である。
【図６】第１のアップリンクチャネルを介してＵＥデバイスから認可要求メッセージを受信したことに応答して、ＵＥデバイスへのアップリンクキャリアアグリゲーションの許可を認可するための動作の例示的構成の概略図である。
【図７】セカンダリＣＣ上での動作を許可するためにＵＥデバイスからプライマリＣＣを介してＳＡＳに認可要求メッセージを送信するための動作の例示的構成の概略図である。
【図８】本明細書に記載されるシステムおよび方法を実施するために使用され得る例示的なコンピューティングデバイスの概略図である。
【００２５】
種々の図面において同様の参照符号は同様の構成要素を示す。
【発明を実施するための形態】
【００２６】
米国では、連邦通信委員会（ＦＣＣ）は、新たな市民ブロードバンド無線システム（ＣＢＲＳ）３．５ギガヘルツ（ＧＨｚ）スペクトル帯域（第１のスペクトル帯域の一例）用の高度な３層構造のスペクトル共有フレームワークを採用している。これは、第１のスペクトル帯域の例である。使用する３つの層は、インカンベント（Incumbent）（例えば、軍事レーダー）、優先アクセスライセンス（ＰＡＬ：Priority Access License）（例えば、衛星地球局）、および一般許可アクセス（ＧＡＡ：General Authorized Access）（例えば、新たな商用ユーザ）である。ＣＢＲＳ３．５ＧＨｚ帯域内のスペクトルアクセスシステム（ＳＡＳ）は、全ユーザに対するＣＢＲＳスペクトル帯域（３５５０ＭＨｚ〜３７００ＭＨｚ）の利用可能な１５０メガヘルツ（ＭＨｚ）の動的共有を最適化しながら、上位層のユーザを下位層のユーザから保護する高度に自動化された無線スペクトルコーディネーターとして機能する。このタスクを達成するために、ＳＡＳはすべてのＣＢＲＳ通信デバイス（無線機、基地局、送信機、アクセスポイントなど）の層ステータス、地理的位置、動作パラメータ、およびその他の関連情報を含むデータストアを管理して周波数と送信電力の割り当てを調整するのと同時に、ＣＢＲＳスペクトル帯域を監視して潜在的な干渉から保護する。以下では、３５５０ＭＨｚ〜３７００ＭＨｚの範囲をとり得るＣＢＲＳスペクトル帯域の使用について説明するが、これは単に第１のスペクトル帯域の好ましい例であり、第１のスペクトル帯域が他の所定のスペクトル帯域である実施形態も想定される。
【００２７】
ＳＡＳは、共有スペクトルリソースのユーザに対して完全な権限を持つ制御を行うことで上層のインカンベントユーザが常に保護されるようにする。ＳＡＳはさらに一連の高度アルゴリズムを適用することで、利用可能なスペクトルへの最大限のアクセスを提供しながら、共有スペクトルリソースのユーザが常にＦＣＣ規則を適用できるようにする。例えば、ＦＣＣ規則は、インカンベントユーザが存在しない場合に少なくとも８０ＭＨｚのスペクトルをＧＡＡの使用に利用可能とし、いくつかの状況では、インカンベントユーザまたは優先アクセスユーザがエリア内にいない場合に１５０ＭＨｚ全体を利用可能とすることを規定する。したがって、ＳＡＳはリアルタイム検知およびデータソース情報を適用して、階層的スペクトル共有規則を実施するとともに、個々の無線機または無線機ネットワークにスペクトルを割り当てるためのスペクトル利用可能性を決定する。
【００２８】
ロングタームエボリューションアドバンスト（ＬＴＥ−Ａ）などの最近の無線アクセス技術（ＲＡＴ）により動作するように構成されたユーザ機器（ＵＥ）デバイスは、ＵＥデバイスとネットワークとの間の通信を複数のコンポーネントキャリア（ＣＣ）を用いて伝達可能なキャリアアグリゲーション技術をサポートすることで、ＵＥデバイスとネットワークとの間の通信に利用可能な帯域幅を増加させる。例えば、ＵＥデバイスはプライマリＣＣ（すなわち、第１のアップリンクチャネル）でサービング基地局との接続を確立することができ、サービング基地局は、アップリンクセカンダリＣＣ（すなわち、第２のアップリンクチャネル）を追加または有効化するようにＵＥデバイスに指示することによってＵＥデバイスをアップリンクキャリアアグリゲーションモードで動作させることができる。
【００２９】
本開示における実装形態は、サービング基地局が、免許不要のＣＢＲＳスペクトル帯域内の対応する周波数に関連付けられたアップリンクセカンダリＣＣを追加または有効化するようにＵＥデバイスに指示することによって、ＵＥデバイスをキャリアアグリゲーションモードで動作させることを対象とする。さらに、実装形態は、ＦＣＣによって規定されＳＡＳによって課されるエンドユーザデバイス（ＥＵＤ）許容送信電力制限を超える最大送信電力を有するＵＥデバイスを対象とする。例えば、ＥＵＤ許容送信電力制限は、１０ＭＨｚあたり２３デシベルミリワット（ｄＢｍ）（２３ｄＢｍ／１０ＭＨｚ）に等しい実効等方放射電力（ＥＩＲＰ）値を有し得る。したがって、ＵＥデバイスは最大送信電力にてセカンダリＣＣ上で動作するにはＳＡＳからのＳＡＳ認可を申請する必要があり、ＵＥデバイスが最大送信電力にてセカンダリＣＣ上でアップリンク通信を送信可能とする前にＳＡＳからのＳＡＳ認可を受ける必要がある。ＳＡＳによる承認がない場合、ＵＥデバイスはＥＵＤ許容送信電力制限以下の送信電力にてセカンダリＣＣ上で動作し得るか、または異なるセカンダリＣＣ上で動作するためのおよび／または低減された送信電力で動作するための新たなＳＡＳ認可を申請し得る。以下で詳細に説明するように、ＳＡＳは、最大送信電力でのセカンダリＣＣ上での動作が同じスペクトル空間で動作する上位層のユーザとの許容できない干渉を引き起こすことが予想される場合、または、インカンベント第１層ユーザが近くにいるかもしくはインカンベント第１層ユーザ用に確保された制限エリアと干渉するためにセカンダリＣＣ上での動作が厳密に禁止されている場合には、アクセスを拒否（すなわち、認可拒否）し得る。
【００３０】
ＦＣＣによって規定されたＥＵＤ許容送信電力は現在では２３ｄＢｍ／１０ＭＨｚに設定されているが、ＦＣＣはＥＵＤ許容送信電力を２３ｄＢｍ／１０ＭＨｚよりも大きいもしくはそれよりも小さい別の値に設定することができる。したがって、本開示における実装形態は、最大送信電力がＦＣＣによって設定されＳＡＳによって課されるＥＵＤ許容送信電力制限の最新値を超える度に、ＵＥデバイスがセカンダリＣＣ上で動作するためのＳＡＳ認可を申請することを対象とする。
【００３１】
図１は、免許周波数帯域と同様に、３５５０〜３７００メガヘルツの範囲内の市民ブロードバンド周波数スペクトル（ＣＢＲＳ）帯域などの免許不要周波数帯域で動作し得るロングタームエボリューション（ＬＴＥ）ネットワーク１００を示す。ＬＴＥは、基地局１０２と、ＣＢＲＳスペクトル帯域での使用のためにＦＣＣによって規定されたエンドユーザデバイス（ＥＵＤ）許容電力制限を越える最大送信電力を持つ顧客宅内機器（ＣＰＥ：Customer Premises Equipment）データ端末などのユーザ機器（ＵＥ）デバイス１０４との間の高速データ無線通信用規格である。ＥＵＤ許容電力制限は現在では２３ｄＢｍ／１０ＭＨｚに相当するが、ＦＣＣは将来にはＥＵＤ許容電力制限を２３ｄＢｍ／１０ＭＨｚよりも大きいかまたはそれよりも小さい他の値に設定することが考えられる。ＵＥデバイス１０４は、データ処理ハードウェア１０５とメモリハードウェア１０７を含む。したがって、ＵＥとＣＰＥの用語は、本開示では互換的に使用される。この例では、１つの基地局１０２と１つのＵＥデバイス１０４のみが示されているが、ネットワーク１００は、各々複数のＵＥデバイス１０４にサービスを提供する複数の基地局１０２を含み得る。ＵＥ／ＣＰＥデバイス１０４という用語は、ＵＥ／ＣＰＥ、ＵＥ、ＵＥデバイス、ＣＰＥ、およびＣＰＥデバイスという用語と互換的に使用され得る。
【００３２】
ＬＴＥは、移動通信用グローバルシステム（Global System for Mobile Communications）／ＧＳＭ進化型高速データレート（Enhanced Data Rates for GSM Evolution）（ＧＳＭ／ＥＤＧＥ）（ＧＳＭは登録商標）およびユニバーサル移動体通信システム（Universal Mobile Telecommunication System）／高速パケットアクセス（High Speed Packet Access）（ＵＭＴＳ／ＨＳＰＡ）ネットワーク技術に基づいている。ＬＴＥは、コアネットワークの改良に加えて、異なる無線インタフェースを使用することにより、通信の容量と速度を向上させるように構成されている。ＬＴＥは、１．４ＭＨｚ〜２０ＭＨｚのスケーラブルキャリア帯域幅をサポートし、周波数分割二重化（ＦＤＤ）と時分割二重化（ＴＤＤ）の両方をサポートする。ＬＴＥ−ＴＤＤネットワーク１００は情報をアップロードおよびダウンロードするために単一の周波数を使用する。ＬＴＥ−ＴＤＤネットワーク１００は１４５０ＭＨｚ〜４３００ＭＨｚの範囲の周波数で動作し、いくつかの異なる帯域が使用される。一方、ＬＴＥ−ＦＤＤネットワーク１００は、異なるキャリア周波数で送信および／または受信する送信デバイス（例えば、基地局１０２およびＵＥ１０４）を指す。基地局１０２は、音声およびデータをＬＴＥネットワーク１００上に収束させるように構成されたフレームワークを提供する進化型パケットコア（ＥＰＣ：Evolved Packet Core）１０８と通信することができる。ＥＰＣ１０８は、インターネットプロトコル（ＩＰ）サービスアーキテクチャ上で音声とデータを統合し、音声は別のＩＰアプリケーションとして扱われる。ＥＰＣ１０８は、これらに限定されないが、モビリティ管理エンティティ（ＭＭＥ）やサービングゲートウェイ（ＳＧＷ）やパケットデータノードゲートウェイ（ＰＧＷ）を含むいくつかの主要コンポーネントを含み得る。
【００３３】
ＣＢＲＳ３．５ＧＨｚ帯域内のスペクトルアクセスシステム（ＳＡＳ）２１０は、第１層のインカンベントユーザ１０ａ、第２層の優先アクセスライセンス（ＰＡＬ）ユーザ１０ｂ、および第３層の一般許可アクセス（ＧＡＡ）（例えば、新たな商用ユーザ）を含む３層構造フレームワーク内で利用可能な１５０メガヘルツ（ＭＨｚ）の動的共有を最適化する処理を担う。図示した例では、ＳＡＳ２１０は、データ処理ハードウェア２１２と、そのデータ処理ハードウェア２１２と通信するメモリハードウェア２１４とを含む。メモリハードウェア２１４は、ＳＡＳ２１０をデータ処理ハードウェア２１２上で実行させるための命令を記憶し得る。図２は、３層のユーザ１０，１０ａ〜１０ｃによる免許不要のＣＢＲＳ帯域１２へのアクセスおよび動作を管理するＳＡＳ２１０を含む例示的なスペクトル共有フレームワーク２００を提供する。スペクトル１２は、免許不要のＣＢＲＳ３．５ＧＨｚ帯域内で利用可能なスペクトル（３５５０ＭＨｚ〜３７００ＭＨｚ）である１５０ＭＨｚを占有する。第１層であって最上位の層であるインカンベントユーザ１０ａは、連邦政府ユーザおよび固定衛星サービス（「ＦＳＳ」）を含む。第２層のＰＡＬユーザ１０ｂは、単一の３年間、地理的カバレッジエリア１２４（図１）において３４４０〜３６５０ＭＨｚの範囲で非ペアの１０ＭＨｚチャネルを使用するライセンスを有し、したがって、地理的カバレッジエリア１２４は、都市や郡などの政治的境界の境界線と一致する国勢調査区を含み得る。第３層のＧＡＡユーザ１０ｃは、上位層（すなわち、第１層または第２層）に割り当てられていない３．５ＧＨｚ帯の８０ＭＨｚへのアクセスが許可されている。ＧＡＡユーザ１０ｃは、ＦＣＣライセンシーの資格を有するエンティティが、個別のスペクトルライセンスを取得する必要なしにＧＡＡ帯域でＦＣＣ認可の通信機器（ＣＢＲＳ伝送機器など）を使用できるという点で「規則により」ライセンスされる。ＦＣＣは、ＧＡＡユーザ１０ｃに、ＳＡＳ２１０に登録して承認を受けることにより、適用可能なＦＣＣ規則に適合するＣＢＲＳ伝送機器を使用することを課している。ＵＥ／ＣＰＥデバイス１０４は、ＣＢＲＳ伝送機器に対応する。
【００３４】
ＳＡＳ２１０は、共有スペクトルのすべてのユーザ１０（例えば、オペレータ）に対して完全な権限を持つ制御を行うことで、最上層（第１層）のインカンベントユーザ１０ａが第２層のＰＡＬユーザ１０ｂおよび第３層のＧＡＡユーザ１０ｃの両方による干渉から常に保護され、かつ、第２層のＰＡＬユーザ１０ｂが第３層のＧＡＡユーザ１０ｃによる干渉から常に保護されることを保証する。したがって、ＰＡＬユーザ１０ｂは、第１層のインカンベントユーザ１０ａに対する干渉保護を提供しつつそのインカンベントユーザ１０ａからの干渉を受け入れる必要があるが、第３層のＧＡＡユーザ１０ｃからの干渉は保護されている。第３層のＧＡＡユーザ１０ｃは、第１層のインカンベントユーザ／オペレータ１０ａまたは第２層のＰＡＬユーザ／オペレータ１０ｂによる干渉からは保護されておらず、それら両方からの干渉を受け入れる必要がある。ＳＡＳ２１０は、ＦＣＣによって規定された規則および規制を実施する権限を有しているため、ＦＣＣの規定に準拠するプロトコルに従う必要がある。したがって、ＳＡＳ２１０は、いくつかの問題、特にＣＢＲＳ帯域１２の使用に関して発生する可能性のある干渉紛争を解決するための「最初の手段」（first line of recourse）として機能する。しかしながら、干渉や不正な周波数および機器の使用に関するＣＢＲＳユーザ１０同士の問題をＳＡＳ２１０が解決できない場合、ＦＣＣは最終的な執行権限を保持する。
【００３５】
局１０２は、進化ノードＢ（ｅノードＢまたはｅＮＢとも呼ばれる）を含み得る。ｅＮＢ１０２は、ＵＥ１０４と直接通信するための無線インタフェース１１０（例えば、携帯電話ネットワーク）に接続するハードウェアを含む。例えば、ｅＮＢ１０２は、ダウンリンクＬＴＥ信号（例えば、通信）をＵＥ１０４に送信し、無線インタフェース１１０を介してＵＥ１０４からアップリンクＬＴＥ信号を受信し得る。ｅＮＢ１０２は、別個のコントローラ要素を有さないため、ネットワーク１００のアーキテクチャを簡素化する。また、ｅＮＢ１０２は、別個のコントローラ要素を含まないことから自身の制御機能を内蔵している。ｅＮＢ１０２は、異なる要素とインタフェースするときに複数のプロトコルを使用する。例えば、ｅＮＢ１０２は、ＥＰＣ１０８と通信するためにＳ１インタフェース１１４を使用する。Ｓ１インタフェース１１４は、ＭＭＥと通信するためのＳ１−ＭＭＥインタフェースと、ＳＧＷとインタフェースするためのＳ１−Ｕインタフェースとを含み得る。したがって、Ｓ１インタフェース１１４は、ＥＰＣ１０８と通信するためのバックホールリンクに関連付けられている。
【００３６】
いくつかの例において、ネットワーク１００は、複数のコンポーネントキャリア（ＣＣ）１２０が集約されて単一のデバイス（例えば、ＵＥ１０４）への送信／からの送信に共同で使用されるキャリアアグリゲーションをサポートするキャリアアグリゲーション対応ネットワークを含む。ネットワーク１００は、既存の４Ｇネットワークによって設定された要件を満たしつつより高いビットレートを提供するリリース１０（ＬＴＥリリース１０（ＬＴＥＲｅｌ−１０））の下のＬＴＥアドバンストネットワークを含み得る。ＬＴＥリリース１０では、ＣＣ１２０は１．４、３、５、１０、または２０ＭＨｚの帯域幅を有することができ、最大５つのＣＣ１２０を集約して１００ＭＨｚに相当する最大集約帯域幅を提供することができる。ＬＴＥリリース１３（ＬＴＥＲｅｌ−１３）などの将来のリリースでは、最大３２個のＣＣ１２０をサポートすることができる。ＦＤＤネットワーク１００では、集約キャリアの数は、ダウンリンク（ＤＬ）通信とアップリンク（ＵＬ）通信で異なる場合がある。しかしながら、ＵＬ_ＣＣ１２０の数は常にＤＬ_ＣＣ１２０の数以下であり、個々のＣＣ１２０は異なる帯域幅とすることができる。ＴＤＤネットワーク１００では、ＣＣ１２０の数および各ＣＣ１２０の帯域幅は通常、ＤＬ通信とＵＬ通信で同じである。
【００３７】
アグリゲーションを配置する最も簡単な方法は、同じ周波数帯域を持つ連続したＣＣを使用することであり、これは帯域内連続キャリアアグリゲーションと呼ばれる。しかしながら、複数の異なるオペレータ周波数の割り当て状況により、帯域内連続キャリアアグリゲーションが常に可能とは限らない。したがって、帯域内（intra-band）または帯域間（inter-band）の一方について非連続的な割り当てを配置することができる。帯域内非連続性の下では、集約されたＣＣ１２０は同じ周波数帯域に属するが、それらの間にギャップを含む。帯域間非連続性アグリゲーションの下では、集約されたＣＣ１２０は異なる動作周波数帯域に属する。
【００３８】
引き続き図１を参照すると、サービングセル１２１，１２２は各々、対応するＣＣ１２０に関連付けられている。各サービングセル１２１，１２２のカバレッジは、異なる周波数帯域上のＣＣ１２０が互いに異なる経路損失を受けるために異なり得る。プライマリＣＣ（ＰＣＣ）１２０Ｐ（すなわち、ＤＬ_ＰＣＣおよびＵＬ_ＰＣＣ）は、ｅＮＢ１０２とＵＥ１０４との間の無線リソース制御（ＲＲＣ）接続だけでなくｅＮＢ１０２とＵＥ１０４との間のデータ転送の機能を管理するように構成されたプライマリサービングセル（ＰＳＣ）１２１へのサービス提供を行う。また、ＵＥ１０４は、ＤＬ_ＰＣＣ１２０Ｐ上でセキュリティパラメータなどの非アクセス層（ＮＡＳ）情報を受信することができる。図１はさらに、ｅＮＢ１０２とＵＥ１０４との間でデータを転送するように構成された対応するセカンダリサービングセル（ＳＳＣ）１２２へのサービス提供を行うセカンダリＣＣ（ＳＣＣ）１２０Ｓを示す。ＳＣＣ２２０Ｓはネットワーク１００の現在の帯域幅の必要性に応じて追加および削除することができ、ＰＣＣ２２０Ｐはハンドオーバー時に変更することができる。
【００３９】
いくつかの実装形態において、ＵＥ／ＣＰＥ１０４は、第３層のＧＡＡユーザ／オペレータ１０ｃに関連付けられるとともに、ＣＢＲＳ帯域１２内での通信のために２以上のＣＣのアップリンクキャリアアグリゲーションをサポートするように構成されている。例えば、ＵＥ／ＣＰＥ１０４は、ブロードバンド無線サービスを提供するためにオフィスまたは家の屋上に配備され得る。ＵＥ／ＣＰＥ１０４などのエンドユーザデバイス（ＥＵＤ）は、それらの送信電力が、ＦＣＣによって規定されＳＡＳ２１０によって課されるＥＵＤ許容送信電力制限を超えない限りは、ＣＢＲＳ帯域の周波数に関連付けられたＣＣ２２０上での動作にＳＡＳ２１０による承認を必要としない。いくつかの例では、ＥＵＤ許容送信電力制限は、２３ｄＢｍ／１０ＭＨｚに相当する実効等方放射電力（ＥＩＲＰ）値を有する。しかしながら、ＵＥ／ＣＰＥ１０４がＥＵＤ許容送信電力制限よりも大きな電力で送信する能力を有する場合、ＵＥ／ＣＰＥ１０４はそのようなより高い送信電力でのＣＣ２２０上での動作許可の認可をＳＡＳ２１０に申請してその認可を受ける必要がある。ＵＥ／ＣＰＥ１０４は、より高い送信電力で動作してスループットおよびネットワーク速度を向上させることが望ましい。したがって、ＳＡＳ２１０は、より高い送信電力による所与のＣＣ１２０上でのＵＥ／ＣＰＥ１０４による動作がＣＢＲＳ帯域内で許容できない干渉を引き起こさないこと、すなわち第１層のインカンベントユーザ１０ａや第２層のＰＡＬユーザ１０ｂなどのより上位層のユーザ１０と干渉しないことを保証する必要がある。図示されている例では、第１層のインカンベントユーザ１０ａは、海岸線１２６の沖で動作するとともにＣＢＲＳ帯域内の周波数で動作する対応する伝送機器１０６，１０６ａ（例えば、軍事レーダー）を有する政府船を含む。同様に、第２層のＰＡＬユーザ１０ｂは、行政の建物に取り付けられ、ＣＢＲＳ帯域内の周波数で動作して、地理的カバレッジエリア１２４内にてブロードバンド無線を提供する関連する伝送機器１０６，１０６ｂを有することのライセンシーを含む。ＰＡＬユーザ１０ｂに関連付けられた伝送機器１０６ｂは、所与の送信電力にてＣＢＲＳ帯域内の周波数で送信するために、ＦＣＣおよびＳＡＳ２１０によって承認された固定局または局ネットワークを含む。本明細書で使用される場合、インカンベントユーザ１０ａに関連付けられた伝送機器１０６ａおよびＰＡＬユーザ１０ｂに関連付けられた伝送機器１０６ｂは、それら第１層および第２層のユーザ１０ａ，１０ｂの両方が第３層のＧＡＡユーザ１０ｃによる干渉から常に保護されるため、それら伝送機器１０６ａ，１０６ｂを総称して、ＵＥ／ＣＰＥ１０４に対する「インカンベント伝送機器１０６」と称す場合がある。本明細書において開示される実装形態は、ＥＵＤ許容送信電力制限を超える最大送信電力１６２を有するＵＥ／ＣＰＥ１０４を対象とし、したがって、ＵＥ／ＣＰＥ１０４に関連付けられたＧＡＡユーザ１０ｃがＣＢＲＳ帯域内でのアップリンクキャリアアグリゲーションについての認可をＳＡＳ２１０に申請することを必要とする。
【００４０】
図示されている例では、ＵＥ／ＣＰＥ１０４は、対応するＰＳＣ１２１にサービスを提供するプライマリＣＣ１２０Ｐを介してｅＮＢ１０２とのアクティブな接続を行う。プライマリＣＣ１２０Ｐは、ＣＢＲＳ帯域内またはＣＢＲＳ帯域外（例えば、免許帯域または免許不要帯域）に関連する周波数を有し得る。プライマリＣＣ１２０ＰがＣＢＲＳ帯域内にある場合、ｅＮＢ１０２およびＵＥ／ＣＰＥ１０４がプライマリＣＣ１２０Ｐ上で動作する許可をＳＡＳ２１０が認可したと想定される。ｅＮＢ１０２は有線接続を介してＳＡＳ２１０と通信することができるが、ＵＥ／ＣＰＥ１０４はプライマリＣＣ１２０Ｐを介してのみＳＡＳ２１０と通信することができる。
【００４１】
アップリンクキャリアアグリゲーション（ＣＡ）モードでのＵＥ／ＣＰＥ１０４による動作が可能／適切な場合、ｅＮＢ１０２は、設定メッセージ１５０をＵＥ／ＣＰＥ１０４に送信することによりＵＥ／ＣＰＥ１０４による動作をＣＡモードで開始させることができる。例えば、ｅＮＢ１０２は、ＵＥ／ＣＰＥ１０４における通信負荷が高いとき、および／またはｅＮＢ１０２におけるトラフィックレベルが低いときに、ＵＥ／ＣＰＥ１０４のＣＡモードを開始するように選択することができる。図示されている例では、設定メッセージ１５０は、アップリンク通信のＣＢＲＳ帯域内にてセカンダリＣＣ１２０Ｓを追加または有効にするようにＵＥ／ＣＰＥ１０４に指示する。したがって、セカンダリＣＣ１２０Ｓは、ＣＢＲＳ帯域内の関連する周波数を有する第２のアップリンクチャネルに対応し得る。いくつかの例では、設定メッセージ１５０は、セカンダリＣＣ１２０Ｓを追加するようにＵＥ／ＣＰＥ１０４に指示する無線リソース制御（ＲＲＣ）メッセージ１５０ａを含む。他の例では、設定メッセージ１５０は、媒体アクセス制御（ＭＡＣ）要素（例えば、ＭＡＣ層）を介して送信され、セカンダリＣＣ１２０Ｓを有効にするようにＵＥ／ＣＰＥに指示するアクティブ化メッセージ１５０ｂを含む。セカンダリＣＣ１２０Ｓを有効にするためのアクティブ化メッセージ１５０ｂは、対応するセカンダリＣＣ１２０Ｓを追加するための先行するＲＲＣメッセージ１５０に続くものとしてもよい。
【００４２】
ｅＮＢ１０２から設定メッセージ１５０を受信したことに応答して、ＵＥ／ＣＰＥ１０４は、認可要求メッセージ１６０をＳＡＳ２１０に送信するためのアンカーポイントとして機能するプライマリＣＣ１２０Ｐ、すなわち第１のアップリンクチャネルを使用する。要求メッセージ１６０を送信するためのアンカーポイントとして機能するこの第１のアップリンクチャネル（プライマリＣＣ１２０Ｐ）がない場合、ＵＥ／ＣＰＥ１０４は、ＳＡＳ２１０と通信して認可を申請する方法を持たず、したがって、ＥＵＤ許容送信電源制限以下の送信電力によるセカンダリＣＣ１２０Ｓ上での動作に制限される。認可要求メッセージ１６０は、ＵＥ／ＣＰＥ１０４の現在の位置１６４による最大送信電力１６２にてセカンダリＣＣ１２０Ｓ上で動作するための許可をＳＡＳ２１０に求める。したがって、認可要求メッセージ１６０は、少なくともＵＥ／ＣＰＥデバイス１０４の最大送信電力１６２と現在の位置１６４を含む。認可要求メッセージ１６０は、ＳＡＳ２１０へのＵＥ／ＣＰＥデバイス１０４の登録として機能することができ、ＳＡＳ２１０は、メモリハードウェア２１４に記憶されたＣＢＲＳログ３００（例えば、データソース）内のＵＥ／ＣＰＥデバイス１０４に関連付けられているすべての関連情報を記憶／記録する。ＵＥ／ＣＰＥデバイス１０４は、ＳＡＳ２１０に登録する場合、これらに限定されないが、識別子、層ステータス（例えば、層３）、最大送信電力１６２、現在の位置１６４、アンテナの方位、アンテナの傾き、またはアンテナの高さを含む関連情報を提供することができる。
【００４３】
ＳＡＳ２１０は、最大送信電力１６２によるセカンダリＣＣ１２０Ｓ（すなわち、第２のアップリンクチャネル）上でのＵＥ／ＣＰＥ１０４の動作がＣＢＲＳスペクトル帯域内で許容できない干渉を引き起こすかどうかを判定する。言い換えれば、ＳＡＳ２１０は、最大送信電力１６２による第２のアップリンクチャネル上でのＵＥ／ＣＰＥ１０４による動作が第１層のインカンベントユーザ１０ａおよび／または第２層のＰＡＬユーザ１０ｂと干渉するかどうかを判定する。いくつかの例では、ＳＡＳ２１０は、ＵＥ／ＣＰＥ１０４の現在の位置１６４がインカンベントユーザ１０ａのために確保された制限エリアの閾値距離内にあるとき、ＵＥ／ＣＰＥ１０４が許容できない干渉を引き起こすと判定する。なお、本開示は、干渉レベルを判定して干渉レベルが許容できるものか許容できないものかを判定するためにＳＡＳ２１０によって使用される特定の技術、メトリック、またはパラメータに限定されない。ＳＡＳ２１０は、最大送信電力１６２によるセカンダリＣＣ１２０Ｓ（第２のアップリンクチャネル）上でのＵＥ／ＣＰＥ１０４の動作が許容できない干渉を引き起こさないと判定した場合、プライマリＣＣ１２０Ｐを介してＵＥ／ＣＰＥ１０４に認可メッセージ１７０を送信することにより、最大送信電力１６２による第２のアップリンクチャネル上でのＵＥ／ＣＰＥ１０４の動作許可を認可し得る。いくつかの例では、ＵＥ／ＣＰＥ１０４が認可メッセージ１７０を受信すると、ＵＥ／ＣＰＥ１０４は、現在の位置１６４によるアップリンク通信の最大送信電力１６２によりセカンダリＣＣ上で動作する。
【００４４】
一方、ＳＡＳ２１０は、最大送信電力１６２によるセカンダリＣＣ１２０Ｓ（第２のアップリンクチャネル）上でのＵＥ／ＣＰＥ１０４の動作が許容できない干渉を引き起こすと判定した場合、プライマリＣＣ１２０Ｐを介してＵＥ／ＣＰＥ１０４に拒否メッセージ１８０を送信することにより、最大送信電力１６２によるセカンダリＣＣ１２０Ｓ上でのＵＥ／ＣＰＥ１０４の動作許可を拒否し得る。いくつかの例では、ＵＥ／ＣＰＥ１０４が拒否メッセージ１８０を受信すると、ＵＥ／ＣＰＥ１０４は、ＥＵＤ許容送信電力制限（例えば、２３ｄＢｍ／１０ＭＨｚ）以下の許容送信電力によりセカンダリＣＣ２２０Ｓ上で動作する。他の例では、ＵＥ／ＣＰＥ１０４は、最大送信電力１６２未満であるがＥＵＤ許容送信電力制限を超える低減された送信電力でのセカンダリＣＣ１２０Ｓ上での動作許可を求める次の認可要求メッセージ１６０を、プライマリＣＣ１２０Ｐを介して送信し得る。追加的または代替的に、次の認可要求メッセージ１６０はさらに、別の周波数に関連付けられた異なるセカンダリＣＣ１２０Ｓでの動作許可を要求するものでもよい。
【００４５】
図３は、メモリハードウェア２１４に記憶され得る例示的なＣＢＲＳログ３００を提供する。ＳＡＳ２１０は、各々ＣＢＲＳ帯域内の対応する周波数範囲３１０（例えば、１０ＭＨｚチャネル）に関連付けられた複数のＣＢＲＳログ３００を管理することができ、あるいは、単一のＣＢＲＳログ３００がＣＢＲＳ帯域内のすべての周波数を包含していてもよい。図示されている例では、ＣＢＲＳログ３００は、ＣＢＲＳスペクトル内の３５７０ＭＨｚ〜３５８０ＭＨｚの対応する周波数範囲３１０に関連付けられており、ＳＡＳ２１０に登録されその周波数範囲３１０内で動作する対応するインカンベント伝送機器１０６を識別するデバイス識別子３０６のリストを含む。ＣＢＲＳログ３００はさらに、対応するインカンベント伝送機器に関連付けられた層ステータス３２０、位置３３０、送信電力３４０、および１つまたは複数のアンテナパラメータ３５０を含む。層ステータス３２０は、インカンベント伝送機器１０６が第１層のインカンベントユーザ１０ａまたは第２層のＰＡＬユーザ１０ｂに対応するかどうかを示す。ＣＢＲＳログ３００はさらに、対応する周波数範囲３１０内にてアクセスの有効な認可を有する第３層のＧＡＡユーザ１０ｃを含んでもよい。位置３３０は、対応するインカンベント伝送機器１０６の全地球測位システム（ＧＰＳ）座標、例えば、経度および緯度を含み得る。送信電力（Ｔｘ電力）はｄＢｍで表されてもよいし、ｄＢｍ／１０ＭＨｚでの実効等方放射電力（ＥＩＲＰ）値として表されてもよい。アンテナパラメータ３５０は、これらに限定されないが、アンテナの方位３５０ａ、アンテナの傾き３５０ｂ（度）、アンテナの高さ３５０ｃ（メートル（ｍ））のうちの１つ以上を含み得る。第２層および第３層（それらが記録されている場合）のユーザ１０ｂ，１０ｃはＳＡＳ２１０に登録するときに、それらの対応するデバイスＩＤ３０６、層ステータス３２０、位置３３０、Ｔｘ電力３４０、およびアンテナパラメータ３５０を直接提供することができ、ＳＡＳ２１０は、メモリハードウェア２１４に記憶されたＣＢＲＳログ３００にそれらの情報を記録することができる。なお、第１層のユーザがＳＡＳ２１０に直接その動作情報を提供しなくてもよく、ＳＡＳ２１０は他の技術を使用してこうした情報を取得してもよい。例えば、ＳＡＳ２１０は、第１層のインカンベント１０ａの動作を検出するために、ＦＣＣにより実装された環境検知機能（ＥＳＣ：Environmental Sensing Capability）システムと通信してもよい。
【００４６】
いくつかの例において、ＳＡＳ２１０は、ＣＢＲＳログ３００に記録された対応する層ステータス３２０、位置３３０、Ｔｘ電力３４０、およびアンテナパラメータ３５０に基づいて、各インカンベント伝送機器１０６の対応するカバレッジエリア１２４を判定する。したがって、ＣＢＲＳログ３００（例えば、ＳＡＳデータソース）は、ＳＡＳ２１０に登録されたインカンベント伝送機器１０６の、対応するカバレッジエリア１２４へのマッピングを含む。いくつかの実装形態では、ＳＡＳ２１０は、ＣＢＲＳログ３００（例えば、ＳＡＳデータソース）に照会してセカンダリＣＣ１２０Ｓを含む周波数内で動作するインカンベント伝送機器１０６を特定することによって、セカンダリＣＣ１２０Ｓ（第２のアップリンクチャネル）上でのＵＥ／ＣＰＥ１０４の動作がＣＢＲＳ帯域内で許容できない干渉を引き起こすかどうかを判定し、その特定したインカンベント伝送機器１０６ごとに、現在の位置１６４による対応する最大送信電力１６２でのセカンダリＣＣ１２０Ｓ上でのＵＥ／ＣＰＥ１０４の動作に基づいて、対応するカバレッジエリア内での干渉レベルを推定する。これらの実装形態では、少なくとも１つのカバレッジエリア１２４内での推定された干渉レベルが干渉閾値を満たす場合、ＳＡＳ２１０は、最大送信電力１６２によるセカンダリＣＣ１２０Ｓ上でのＵＥ／ＣＰＥ１０４の動作が許容できない干渉を引き起こすと判定する。異なるカバレッジエリア１２４は、異なる干渉閾値を規定し得る。例えば、インカンベントユーザ１０ａのカバレッジエリア１２４は、すべての干渉を完全に抑制するものでもよいし、またはＰＡＬユーザ１０ｂに関連付けられたカバレッジエリア１２４と比べてより低い干渉レベルを許容するものでもよい。なお、本開示は、干渉レベルが許容できないかどうかを決定するための技術、メトリック、またはパラメータに限定されない。
【００４７】
図４Ａ〜４Ｃおよび図５Ａ〜５Ｄは、第１のアップリンクチャネル（例えば、プライマリＣＣ１２０Ｐ）を使用して、第２のアップリンクチャネル（例えば、セカンダリＣＣ１２０Ｓ）上で動作するためのＳＡＳ認可１７０を申請するＵＥデバイス１０４を示す例示的なネットワーク環境４００を提供する。プライマリＣＣ１２０Ｐは、ＵＥデバイス１０４とサービング基地局１０２（例えば、ｅＮＢ）との間に確立される。ｅＮＢ１０２およびＵＥデバイス１０４は各々、無線リソース制御（ＲＲＣ）層、無線リンク制御（ＲＬＣ）サブ層、媒体アクセス制御（ＭＡＣ）層、および物理（ＰＨＹ）層を含み、ｅＮＢ１０２とＵＥデバイス１０４との間でシグナリングおよびデータを転送するための対応する制御プレーンプロトコルスタックを含む。トランスポートチャネルはＭＡＣ層間でシグナリングおよびデータを転送し、ＰＨＹ層はトランスポートチャネルにマッピングされる。ＰＨＹ層は、複数のキャリアを使用してもよい。
【００４８】
図４Ａを参照すると、ｅＮＢ１０２は、第２のアップリンクチャネル（例えば、セカンダリＣＣ１２０Ｓ）を追加するようにＵＥデバイスに指示するＲＲＣメッセージ１５０ａをＵＥデバイス１０４に送信する。ＵＥデバイス１０４は、ＲＲＣメッセージ１５０ａを受信したことに応答して、第１のアップリンクチャネル（例えば、プライマリＣＣ１２０Ｐ）を介して認可要求メッセージ１６０をＳＡＳ２１０に送信する。ここで、第１のアップリンクチャネルはアンカーポイントとして機能する。認可要求メッセージ１６０は、ＵＥデバイス１０４が現在の位置１６４による最大送信電力１６２で第２のアップリンクチャネル（例えば、セカンダリＣＣ１２０Ｓ）上で動作するためのＳＡＳ２１０による許可を求めるものである。
【００４９】
図４Ｂは、ＵＥデバイス１０４が現在の位置１６４による最大送信電力１６２で第２のアップリンクチャネル（例えば、セカンダリＣＣ１２０Ｓ）上で動作する許可を認可するＳＡＳ認可１７０をＳＡＳ２１０がＵＥデバイス１０４に送信する状態を示している。ここでは、ＳＡＳ２１０は、現在の位置１６４による最大送信電力１６２での第２のアップリンクチャネル上でのＵＥデバイス１０４による動作がＣＢＲＳ帯域内で許容できない干渉を引き起こさないと判定している。
【００５０】
図４Ｃは、第２のアップリンクチャネル（例えば、セカンダリＣＣ１２０Ｓ）を削除するようにＵＥデバイス１０４に指示する削除ＲＲＣメッセージ１５２をｅＮＢ１０２がＵＥデバイス１０４に送信する状態を示している。ＵＥデバイス１０４は、削除ＲＲＣメッセージ１５２を受信したことに応答して、第１のアップリンクチャネル（例えば、プライマリＣＣ１２０Ｐ）を介してＳＡＳ２１０に認可放棄メッセージ１９０を送信する。認可放棄メッセージ１９０は、第２のアップリンクチャネル（例えば、セカンダリＣＣ１２０Ｓ）上での動作許可の認可の撤廃を求めるものである。したがって、ＳＡＳ２１０は、最大送信電力１６２でのＵＥデバイス１０４による第２のアップリンクチャネルへのアクセスを許可する認可を撤廃（例えば、ＣＢＲＳログ３００から削除）することができる。
【００５１】
図４Ａは、ＵＥデバイス１０４がＲＲＣメッセージ１５０ａの受信に応答して認可要求メッセージ１６０を送信する状態を示し、図５Ａは、ｅＮＢ１０２がＭＡＣ制御要素を介してＵＥデバイス１０４にアクティブ化メッセージ１５０ｂを送信する状態を示している。アクティブ化メッセージ１５０ｂは、第２のアップリンクチャネル（例えば、セカンダリＣＣ１２０Ｓ）を有効にするようにＵＥデバイス１０４に指示するものである。ＵＥデバイス１０４は、アクティブ化メッセージ１５０ｂを受信したことに応答して、認可要求メッセージ１６０を第１のアップリンクチャネル（例えば、プライマリＣＣ１２０Ｐ）を介してＳＡＳ２１０に送信する。ここで、第１のアップリンクチャネルはアンカーポイントとして機能する。ＵＥデバイス１０４は、ＳＡＳ２１０がより高い最大送信電力での動作を承認するまで、ＥＵＤ許容送信電力制限（例えば、２３ｄＢｍ／１０ＭＨｚ）以下の送信電力（例えば、許容送信電力）で第２のアップリンクチャネル上での動作を開始し得る。
【００５２】
図５Ｂは、ＵＥデバイス１０４が現在の位置１６４による最大送信電力１６２で第２のアップリンクチャネル（例えば、セカンダリＣＣ１２０Ｓ）上で動作する許可を認可するＳＡＳ認可１７０をＳＡＳ２１０がＵＥデバイス１０４に送信する状態を示している。ここでは、ＳＡＳ２１０は、現在の位置１６４による最大送信電力１６２での第２のアップリンクチャネル上でのＵＥデバイス１０４による動作がＣＢＲＳ帯域内で許容できない干渉を引き起こさないと判定している。
【００５３】
一方、図５Ｃは、ＵＥデバイス１０４が第２のアップリンクチャネル（例えば、セカンダリＣＣ１２０Ｓ）上で動作する許可を拒否するＳＡＳ拒否１８０をＳＡＳ２１０がＵＥデバイス１０４に送信する状態を示している。この状況では、ＳＡＳ２１０は、現在の位置１６４による最大送信電力１６２での第２のアップリンクチャネル上でのＵＥデバイス１０４による動作がＣＢＲＳ帯域内で許容できない干渉を引き起こすと判定している。したがって、ＵＥデバイス１０４は、第２のアップリンクチャネル上で動作できるものの、ＳＡＳ２１０がより高い最大送信電力での動作を承認するまでは、ＥＵＤ許容送信電力制限（例えば、２３ｄＢｍ／１０ＭＨｚ）以下の許容送信電力で動作するものとなる。ＵＥデバイス１０４は、異なるアップリンクチャネル上で動作するための、および／または最大送信電力未満であるがＥＵＤ許容送信電力制限（例えば、２３ｄＢｍ／１０ＭＨｚ）よりも大きい低減された送信電力で動作するための別の認可を申請することもできる。
【００５４】
図５Ｄは、第２のアップリンクチャネル（例えば、セカンダリＣＣ１２０Ｓ）を無効にするようにＵＥデバイス１０４に指示する非アクティブ化メッセージ１５４をｅＮＢ１０２がＭＡＣ制御要素を介してＵＥデバイス１０４に送信する状態を示している。ＵＥデバイス１０４は、非アクティブ化メッセージ１５４を受信したことに応答して、第１のアップリンクチャネル（例えば、プライマリＣＣ１２０Ｐ）を介してＳＡＳ２１０に認可放棄メッセージ１９０を送信する。認可放棄メッセージ１９０は、第２のアップリンクチャネル（例えば、セカンダリＣＣ１２０Ｓ）上での動作許可の認可の撤廃を求めるものである。したがって、ＳＡＳ２１０は、最大送信電力１６２でのＵＥデバイス１０４による第２のアップリンクチャネルへのアクセスを許可する認可を撤廃（例えば、ＣＢＲＳログ３００から削除）することができる。ＵＥデバイス１０４は、図５ＢにおいてＳＡＳ認可１７０が発生した場合にのみ認可放棄メッセージ１９０を送信するものとなる。
【００５５】
図６は、認可要求メッセージ１６０が第１のアップリンクチャネル２２０Ｐを介してＵＥデバイス１０４から受信されたときに、ユーザ機器（ＵＥ）デバイスが第２のアップリンクチャネル２２０Ｓ上で動作するための許可をスペクトルアクセスシステム（ＳＡＳ）により認可する方法６００の動作の例示的な構成を提供する。ブロック６０２において、方法６００は、第１のアップリンクチャネル２２０Ｐを介してＵＥデバイス１０４から、市民ブロードバンド無線サービス（ＣＢＲＳ）スペクトル帯域１２内における第２のアップリンクチャネル２２０Ｓでの動作許可を求める認可要求メッセージ１６０をＳＡＳ２１０のデータ処理ハードウェア２１２において受信することを含む。ＵＥデバイス１０４は、特定のエリアにブロードバンドサービスを提供するために屋上に取り付けられたＣＰＥデバイスなどの顧客宅内機器（ＣＰＥ）デバイスを含み得る。認可要求メッセージ１６０は、ＵＥデバイス１０４の最大送信電力１６２とおよびＵＥデバイス１０４の現在の位置を含む。ＵＥデバイス１０４は、第１のアップリンクチャネル２２０Ｐおよび第２のアップリンクチャネル２２０Ｓのキャリアアグリゲーションをサポートし、最大送信電力１６２は、ＳＡＳ２１０によって課されるエンドユーザデバイス（ＥＵＤ）許容送信電力制限（例えば、２３ｄＢｍ／１０ＭＨｚ）を超えるため、ＵＥデバイス１０４に第２のアップリンクチャネル２２０Ｓ上で動作するための認可を申請することを課す。
【００５６】
第１のアップリンクチャネル２２０Ｐはプライマリコンポーネントキャリア（ＣＣ）２２０Ｐに対応し、第２のアップリンクチャネル２２０ＳはセカンダリＣＣ２２０Ｓに対応し得る。例えば、プライマリＣＣ２２０Ｐは、ＵＥデバイス１０４とサービング基地局１０２（例えば、ｅＮＢ）との間に確立され、免許不要のＣＢＲＳ帯域１２内またはその他の免許／免許不要スペクトル帯域内のいずれかの周波数帯域／チャネルで動作し得る。ＵＥデバイス１０４は、第２のアップリンクチャネル２２０Ｓを追加または有効にするようにＵＥデバイス１０４に指示する設定メッセージ１５０をｅＮＢ１０２から受信したことに応答して、第１のアップリンクチャネル２２０Ｐを介して認可要求メッセージ１６０を送信し得る。例えば、設定メッセージ１５０は、第２のアップリンクチャネル２２０Ｓを追加するようにＵＥデバイス１０４に指示するＲＲＣメッセージ１５０ａ、または媒体アクセス制御（ＭＡＣ）要素を介して送信され第２のアップリンクチャネル２２０Ｓを有効にするようにＵＥデバイス１０４に指示するアクティブ化メッセージ１５０ｂを含み得る。
【００５７】
ブロック６０４において、方法６００は、対応する最大送信電力１６２での第２のアップリンクチャネル２２０Ｓ上でのＵＥデバイス１０４の動作がＣＢＲＳスペクトル帯域１２内で許容できない干渉を引き起こすかどうかをデータ処理ハードウェア２１２によって判定することを含む。例えば、データ処理ハードウェア２１２は、メモリハードウェア２１４に記憶されたＳＡＳデータソース３００（例えば、ＣＢＲＳログ）に照会して、その要求を認可すると、第２のアップリンクチャネル２２０Ｓを含む周波数内で動作するインカンベント伝送機器１０６との許容できない干渉が生じるかどうかを判定し得る。データ処理ハードウェア２１２は、その要求を認可することで許容できない干渉が引き起こされると判定した場合、ＵＥデバイス１０４が現在の位置１６４による最大送信電力１６２で第２のアップリンクチャネル２２０Ｓ上で動作する許可を拒否する認可拒否メッセージ１８０を送信し得る。この状況では、ＵＥデバイス１０４は、ＥＵＤ許容電力制限を超えない許容送信電力を使用して第２のアップリンクチャネル２２０Ｓ上で動作可能であるか、あるいは、異なる周波数に関連付けられた異なるアップリンクチャネル上で動作するためのおよび／または最大送信電力１６２未満ではあるがＥＵＤ許容電力制限よりも高い低減された送信電力で動作するための新たな認可を申請し得る。
【００５８】
ブロック６０６において、方法６００は、最大送信電力１６２による第２のアップリンクチャネル２２０Ｓ上でのＵＥデバイス１０４の動作が許容できない干渉を引き起こさない場合、対応する最大送信電力１６２による第２のアップリンクチャネル２２０Ｓ上でのＵＥデバイス１０４の動作許可をデータ処理ハードウェア２１２によって認可することを含む。例えば、データ処理ハードウェア２１２は、ＳＡＳ認可１７０をＵＥデバイス１０４に送信し得る。第２のアップリンクチャネル２２０Ｓのアグリゲーションがもはや不要となると、データ処理ハードウェア２１２は、ＵＥデバイス１０４から第１のアップリンクチャネル２２０Ｐを介して認可放棄メッセージ１９０を受信し得る。このメッセージ１９０は、第２のアップリンクチャネル２２０Ｓでの動作許可の認可の撤廃を求めるものである。ＵＥデバイス１０４は、第２のアップリンクチャネル２２０Ｓを削除するようにＵＥデバイス１０４に指示するＲＲＣメッセージ１５２（図４Ｃ）をｅＮＢ１０２から受信したことに応答して、または、第２のアップリンクチャネル２２０Ｓを無効にするようにＵＥデバイス１０４に指示する非アクティブ化メッセージ１５４（図５Ｄ）をｅＮＢ１０２から受信したことに応答して、認可放棄メッセージ１９０を送信し得る。
【００５９】
図７は、プライマリコンポーネントキャリア（ＣＣ）２２０Ｐを使用してセカンダリＣＣ２２０Ｓ上での動作許可の認可をスペクトルアクセスシステム（ＳＡＳ）２１０に申請する方法７００の動作の例示的な構成を提供する。ＵＥデバイス１０４は、特定のエリアにブロードバンドサービスを提供するために屋上に取り付けられたＣＰＥデバイスなどの顧客宅内機器（ＣＰＥ）デバイスを含み得る。ＵＥデバイス１０４は、アップリンク通信用の、プライマリＣＣ２２０ＰおよびセカンダリＣＣ２２０Ｓのキャリアアグリゲーションをサポートする。ブロック７０２において、方法７００は、サービング基地局１０２（例えば、ｅＮＢ）からの設定メッセージ１５０をＵＥデバイス１０４のデータ処理ハードウェア１０５において受信することを含む。設定メッセージ１５０は、市民ブロードバンド無線サービス（ＣＢＲＳ）スペクトル帯域内にてセカンダリＣＣ２２０Ｓを追加または有効にするようにＵＥデバイス１０４に指示するものである。ＵＥデバイス１０４は、ＳＡＳ２１０によって課されるエンドユーザデバイス（ＥＵＤ）許容送信電力制限（例えば、２３ｄＢｍ／１０ＭＨｚ）を超える最大送信電力１６２を含む。したがって、ＳＡＳ２１０によって、ＵＥデバイス１０４は、最大送信電力１６２にてセカンダリＣＣ２２０Ｓ上で動作するための認可を申請することが要求される。設定メッセージ１５０を受信することは、セカンダリＣＣ２２０Ｓを追加するようにＵＥデバイス１０４に指示する無線リソース制御（ＲＲＣ）メッセージ１５０ａを受信すること、または、媒体アクセス制御（ＭＡＣ）要素を介して送信されセカンダリＣＣ２２０Ｓを有効にするようにＵＥデバイス１０４に指示するアクティブ化メッセージ１５０ｂを受信することを含む。
【００６０】
ブロック７０４において、方法７００は、設定メッセージ１５０を受信したことに応答して、ＵＥデバイス１０４からＳＡＳ２１０にプライマリＣＣを介して認可要求メッセージ１６０を送信することを含む。認可要求メッセージ１６０は、ＵＥデバイス１０４が現在の位置１６４による最大送信電力１６２にてセカンダリＣＣ２２０Ｓ上で動作するための許可をＳＡＳ２１０に求めるものである。ブロック７０６において、方法７００は、データ処理ハードウェア１０５がＳＡＳ２１０から認可メッセージ１７０または拒否メッセージ１８０の一方を受信することを含む。認可メッセージ１７０（ＳＡＳ認可）は、最大送信電力１６２によるセカンダリＣＣ上でのＵＥデバイス１０４の動作許可を認可するものであり、拒否メッセージは、最大送信電力１６２によるセカンダリＣＣ２２０Ｓ上でのＵＥデバイス１０４の動作許可を拒否するものである。ここで、ＳＡＳ２１０は、セカンダリＣＣ２２０Ｓでの動作がＣＢＲＳ帯域内で許容できない干渉を引き起こさない（すなわち、インカンベント伝送機器との許容できない干渉を引き起こさない）と判定した場合は認可メッセージ１７０を送信する。一方、ＳＡＳ２１０は、セカンダリＣＣ２２０Ｓでの動作がＣＢＲＳ帯域内で許容できない干渉を引き起こすと判定した場合は拒否メッセージ１８０を送信する。
【００６１】
ブロック７０６において、方法７００は、認可メッセージ１７０が受信された場合、データ処理ハードウェア１０５によって、アップリンク通信の最大送信電力１６２でＵＥデバイス１０４をセカンダリＣＣ２２０Ｓ上で動作させることを含む。しかしながら、拒否メッセージ１８０が受信された場合には、ＵＥデバイス１０４は、ＥＵＤ許容電力制限を超えない許容送信電力を使用してセカンダリＣＣ２２０Ｓ上で動作可能であるか、あるいは、異なるセカンダリＣＣ２２０Ｓ上で動作するためのおよび／または最大送信電力１６２未満ではあるがＥＵＤ許容電力制限よりも高い低減された送信電力で動作するための新たな認可を申請し得る。
【００６２】
ソフトウェアアプリケーション（すなわち、ソフトウェアリソース）は、コンピューティングデバイスにタスクを実行させるコンピューターソフトウェアを指す場合がある。いくつかの例では、ソフトウェアアプリケーションは、「アプリケーション」、「アプリ」、または「プログラム」と呼ばれ得る。例示的なアプリケーションとしては、システム診断アプリケーション、システム管理アプリケーション、システムメンテナンスアプリケーション、文書作成アプリケーション、表計算アプリケーション、メッセージングアプリケーション、メディアストリーミングアプリケーション、ソーシャルネットワーキングアプリケーション、ゲームアプリケーションなどが挙げられるが、これらに限定されない。
【００６３】
非一時的メモリは、コンピューティングデバイスによる使用のために一時的または永久的にプログラム（例えば、命令シーケンス）またはデータ（例えば、プログラム状態情報）を記憶するために使用される物理的デバイスであり得る。非一時的メモリは、揮発性および／または不揮発性のアドレス可能な半導体メモリであり得る。不揮発性メモリの例としては、フラッシュメモリおよび読み出し専用メモリ（ＲＯＭ）／プログラム可能読み出し専用メモリ（ＰＲＯＭ）／消去可能プログラム可能読み出し専用メモリ（ＥＰＲＯＭ）／電子消去可能プログラム可能読み出し専用メモリ（ＥＥＰＲＯＭ）（例えば、通常、ブートプログラムなどのファームウェアに使用される）が挙げられるが、これらに限定されない。揮発性メモリの例としては、ランダムアクセスメモリ（ＲＡＭ）、ダイナミックランダムアクセスメモリ（ＤＲＡＭ）、スタティックランダムアクセスメモリ（ＳＲＡＭ）、相変化メモリ（ＰＣＭ）ならびにディスクまたはテープが挙げられるが、これらに限定されない。
【００６４】
図８は、本明細書で説明されるシステムおよび方法を実施するために使用され得る例示的なコンピューティングデバイス８００（例えば、制御ハードウェア）の概略図である。コンピューティングデバイス８００は、ラップトップ、デスクトップ、ワークステーション、パーソナルデジタルアシスタント、サーバ、ブレードサーバ、メインフレーム、および他の適切なコンピュータなどの様々な形態のデジタルコンピュータを代表することが意図されている。本明細書に示された構成要素、それらの接続および関係、およびそれらの機能は、例示的なものに過ぎず、本明細書に記載および／または特許請求の範囲に記載された本発明の実施形態を限定するものではない。
【００６５】
コンピューティングデバイス８００は、プロセッサ８１０、メモリ８２０、ストレージデバイス８３０、メモリ８２０および高速拡張ポート８５０に接続する高速インタフェース／コントローラ８４０、および低速バス８７０およびストレージデバイス８３０に接続する低速インタフェース／コントローラ８６０を含む。これらの構成要素８１０，８２０，８３０，８４０，８５０，８６０の各々は、様々なバスを使用して相互接続され、かつ共通のマザーボード上にまたは適切な他の方法で搭載され得る。プロセッサ８１０（例えば、ＵＥ／ＣＰＥデバイス１０４のデータ処理ハードウェア１０５およびＳＡＳ２１０のデータ処理ハードウェア２１２）は、メモリ８２０またはストレージデバイス８３０に記憶された命令を含むコンピューティングデバイス８００内での実行のための命令を処理して、高速インタフェース８４０に接続されたディスプレイ８８０などの外部入力／出力デバイス上にグラフィックユーザインタフェース（ＧＵＩ）用のグラフィック情報を表示することができる。他の実施形態では、複数のメモリおよび複数のタイプのメモリと共に、複数のプロセッサおよび／または複数のバスが適宜使用されてもよい。また、複数のコンピューティングデバイス８００が接続され、各デバイスが（例えば、サーババンク、ブレードサーバのグループ、またはマルチプロセッサシステムとして）必要な処理の一部を提供してもよい。
【００６６】
メモリ８２０は、コンピューティングデバイス８００内に非一時的に情報を記憶する。メモリ８２０は、コンピュータ可読媒体、揮発性メモリユニット、または不揮発性メモリユニットであってもよい。非一時的メモリ８２０（例えば、ＵＥ／ＣＰＥデバイス１０４のメモリハードウェア１０７およびＳＡＳ２１０のメモリハードウェア２１４）は、コンピューティングデバイス８００による使用のために一時的または永久的にプログラム（例えば、命令シーケンス）またはデータ（例えば、プログラム状態情報）を記憶するために使用される物理的デバイスであり得る。不揮発性メモリの例としては、フラッシュメモリおよび読み出し専用メモリ（ＲＯＭ）／プログラム可能読み出し専用メモリ（ＰＲＯＭ）／消去可能プログラム可能読み出し専用メモリ（ＥＰＲＯＭ）／電子消去可能プログラム可能読み出し専用メモリ（ＥＥＰＲＯＭ）（例えば、通常、ブートプログラムなどのファームウェアに使用される）が挙げられるが、これらに限定されない。揮発性メモリの例としては、ランダムアクセスメモリ（ＲＡＭ）、ダイナミックランダムアクセスメモリ（ＤＲＡＭ）、スタティックランダムアクセスメモリ（ＳＲＡＭ）、相変化メモリ（ＰＣＭ）ならびにディスクまたはテープが挙げられるが、これらに限定されない。
【００６７】
ストレージデバイス８３０は、コンピューティングデバイス８００の大容量ストレージを提供することができる。いくつかの実装形態では、ストレージデバイス８３０はコンピュータ可読媒体である。種々の異なる実装形態では、ストレージデバイス８３０は、フロッピーディスク（登録商標）デバイス、ハードディスクデバイス、光ディスクデバイス、またはテープデバイス、フラッシュメモリまたは他の同様のソリッドステートメモリデバイス、またはストレージエリアネットワークまたは他の構成におけるデバイスを含むデバイスのアレイであり得る。さらなる実装形態では、コンピュータプログラム製品は情報担体に有形的に具現化される。コンピュータプログラム製品は、実行時に、上述したような１つまたは複数の方法を実行する命令を含む。情報担体は、メモリ８２０、ストレージデバイス８３０、またはプロセッサ８１０上のメモリなどの、コンピュータ可読媒体または機械可読媒体である。
【００６８】
高速コントローラ８４０は、コンピューティングデバイス８００の帯域幅を集中的に使用する処理を管理し、低速コントローラ８６０は、より低い帯域幅を集中的に使用する処理を管理する。このような役割の配分は例示的なものに過ぎない。いくつかの実装形態では、高速コントローラ８４０は、メモリ８２０、ディスプレイ８８０（例えば、グラフィックスプロセッサまたはアクセラレータを介する）、および各種拡張カード（図示せず）を受け入れる高速拡張ポート８５０に接続される。いくつかの実装形態では、低速コントローラ８６０は、ストレージデバイス８３０および低速拡張ポート８９０に接続される。様々な通信ポート（例えば、ＵＳＢ、ブルートゥース（登録商標）、イーサネット（登録商標）、無線イーサネット（登録商標））を含み得る低速拡張ポート８９０は、キーボード、ポインティングデバイス、スキャナ、または例えばネットワークアダプタを介するスイッチまたはルータなどのネットワーキングデバイスなどの１つまたは複数の入力／出力デバイスに接続され得る。
【００６９】
コンピューティングデバイス８００は、図示されるように、いくつかの異なる形態で実現することができる。例えば、コンピューティングデバイス８００は、標準サーバ８００ａとして、あるいはそのようなサーバ８００ａのグループ内で複数回にわたるものとして、ラップトップコンピュータ８００ｂとして、またはラックサーバシステム８００ｃの一部として実現することができる。
【００７０】
本明細書に記載のシステムおよび技術の様々な実施形態は、デジタル電子回路および／または光回路、集積回路、特別に設計されたＡＳＩＣ（特定用途向け集積回路）、コンピュータハードウェア、ファームウェア、ソフトウェア、および／またはそれらの組み合わせにおいて実現することができる。これらの様々な実施形態は、ストレージシステム、少なくとも１つの入力デバイス、および少なくとも１つの出力デバイスからデータおよび命令を受信し、それらにデータおよび命令を送信するように接続された、特別または一般的な目的であってもよい、少なくとも１つのプログラム可能なプロセッサを含むプログラマブルシステム上で実行可能および／または解釈可能な１つまたは複数のコンピュータプログラムにおける実施形態を含むことができる。
【００７１】
これらのコンピュータプログラム（プログラム、ソフトウェア、ソフトウェアアプリケーションまたはコードとしても知られている）は、プログラム可能なプロセッサ用の機械命令を含み、高水準の手続き型言語および／またはオブジェクト指向のプログラミング言語および／またはアセンブリ言語／機械語で実施することができる。本明細書で使用する場合、「機械可読媒体」および「コンピュータ可読媒体」という用語は、任意のコンピュータプログラム製品、非一時的なコンピュータ可読媒体、機械読み取り可能な信号として機械命令を受け取る機械可読媒体を含む、プログラマブルプロセッサに機械命令および／またはデータを提供するために使用される装置および／またはデバイス（例えば、磁気ディスク、光ディスク、メモリ、プログラマブルロジックデバイス（ＰＬＤ）を指す。「機械可読信号」という用語は、機械命令および／またはデータをプログラマブルプロセッサに提供するために使用される任意の信号を指す。
【００７２】
本明細書で説明するプロセスおよび論理フローは、入力データ処理作して出力を生成することによって機能を実行する１つまたは複数のコンピュータプログラムを実行する１つまたは複数のプログラム可能なプロセッサによって実行することができる。プロセスおよび論理フローはまた、例えば、ＦＰＧＡ（フィールドプログラマブルゲートアレイ）またはＡＳＩＣ（特定用途向け集積回路）などの特定用途論理回路によっても実行することができる。コンピュータプログラムの実行に適したプロセッサは、一例として、汎用マイクロプロセッサおよび専用マイクロプロセッサ、および任意の種類のデジタルコンピュータの任意の１つまたは複数のプロセッサを含む。一般に、プロセッサは、読み出し専用メモリまたはランダムアクセスメモリまたはその両方から命令およびデータを受信する。コンピュータの必須要素は、命令を実行するプロセッサと、命令およびデータを記憶するための１つまたは複数のメモリデバイスである。一般に、コンピュータは、データを記憶するための１つまたは複数の大容量ストレージデバイス（例えば磁気ディスク、光磁気ディスク、または光ディスク）を含むか、または、そのようなデバイスからのデータを受信するか、あるいはそれらのデバイスにデータを転送するか、もしくはその両方を行うように動作可能に結合される。しかしながら、コンピュータはそのようなデバイスを有する必要はない。コンピュータプログラム命令およびデータを記憶するのに適したコンピュータ可読媒体には、一例として、半導体メモリデバイス（例えば、ＥＰＲＯＭ、ＥＥＰＲＯＭ、およびフラッシュメモリデバイス）、磁気ディスク（例えば、内部ハードディスクまたはリムーバブルディスク）、光磁気ディスク、およびＣＤ−ＲＯＭおよびＤＶＤ−ＲＯＭディスクを含むすべての形態の不揮発性メモリ、メディアおよびメモリデバイスが含まれる。プロセッサおよびメモリは、特定用途論理回路によって補充または特定用途論理回路に組み込むことができる。
【００７３】
ユーザとのインタラクションを提供するために、本開示の１つまたは複数の態様は、例えばＣＲＴ（陰極線管）、ＬＣＤ（液晶ディスプレイ）モニタ、またはタッチスクリーンなどのユーザに情報を表示するためのディスプレイデバイスと、任意選択でユーザがコンピュータに入力を提供するキーボードおよびマウスまたはトラックボールなどのポインティングデバイスとを有するコンピュータ上で実施することができる。他の種類の装置を使用して、例えば、任意の形態の感覚フィードバック（例えば、視覚フィードバック、聴覚フィードバック、または触覚フィードバック）であり得るユーザに提供されるフィードバックとともにユーザとのインタラクションを提供することもでき、ユーザからの入力は、音響、音声、または触覚入力を含む任意の形態で受信することができる。さらに、コンピュータは、ユーザによって使用されるデバイスとの間でドキュメントを送受信することによって（例えば、ウェブブラウザから受信した要求に応答してユーザのクライアントデバイス上のウェブブラウザにウェブページを送信することによって）、ユーザとインタラクションすることができる。
【００７４】
いくつかの実施形態について説明したが、本開示の技術思想および範囲から逸脱することなく、様々な変更がなされ得ることが理解され得る。したがって、他の実施形態も以下の特許請求の範囲内にある。
【図１】
0006931719.tif 000002
【図２】
0006931719.tif 000003
【図３】
0006931719.tif 000004
【図４Ａ】
0006931719.tif 000005
【図４Ｂ】
0006931719.tif 000006
【図４Ｃ】
0006931719.tif 000007
【図５Ａ】
0006931719.tif 000008
【図５Ｂ】
0006931719.tif 000009
【図５Ｃ】
0006931719.tif 000010
【図５Ｄ】
0006931719.tif 000011
【図６】
0006931719.tif 000012
【図７】
0006931719.tif 000013
【図８】
0006931719.tif 000014